(57)【要約】【課題】冷凍装置の逆サイクルの除霜運転除霜運転時に、着霜した利用側熱交換器（51）の下部で霜が溶け残るのを抑制するとともに、装置の構成や制御が複雑になるのも防止する。【解決手段】利用側熱交換器（51）の冷媒パス（51a〜51n）のうち少なくとも分流器（55）より下方に位置する冷媒パスに接続されたキャピラリチューブ（56）で、そのキャピラリチューブ（56）が接続された冷媒パスと分流器（55）とのヘッド差よりも大きな動圧抵抗を生じさせる。【選択図】図２
2017101857.tif 000002
【特許請求の範囲】
【請求項１】
１台または複数台の圧縮機（21a,21b）と第１熱交換器（23）と膨張機構（53）と第２熱交換器（51）とを備えて第１熱交換器（23）が放熱器となり第２熱交換器（51）が蒸発器となる正サイクルの冷却運転を行う冷媒回路（15）を備え、第２熱交換器（51）に着霜すると圧縮機（21a,21b）の吐出冷媒を該第２熱交換器（51）に供給して逆サイクルの除霜運転を行い、
上記第２熱交換器（51）が上方から下方にわたって複数の冷媒パス（51a〜51n）を有し、
上記膨張機構（53）と第２熱交換器（51）との間に設けられた分流器（55）と上記冷媒パス（51a〜51n）とがキャピラリチューブ（56）で接続された冷凍装置であって、
上記第２熱交換器（51）の冷媒パス（51a〜51n）のうち少なくとも上記分流器（55）より下方に位置する冷媒パスに接続されたキャピラリチューブ（56）は、そのキャピラリチューブ（56）が接続された冷媒パス（51a〜51n）と分流器（55）とのヘッド差よりも大きな動圧抵抗を生じる絞りとして構成されていることを特徴とする冷凍装置。
【請求項２】
請求項１において、
上記第２熱交換器（51）の最下部の冷媒パス（51n）と上記分流器（55）とを繋ぐキャピラリチューブ（56）が、該最下部の冷媒パス（51n）と分流器（55）とのヘッド差よりも大きな動圧抵抗を生じる絞りとして構成され、
すべてのキャピラリチューブ（56）が同一内径且つ同一長さであることを特徴とする冷凍装置。
【請求項３】
請求項２において、
上記除霜運転時に、上記分流器（55）の下流側の配管を流れる冷媒の温度を検出する温度センサ（75）を備えていることを特徴とする冷凍装置。
【請求項４】
請求項１から３の何れか１つにおいて、
上記分流器（55）と上記第２熱交換器（51）の冷媒パス（51a〜51n）とに接続されたキャピラリチューブ（56）は、最下部の冷媒パス（51n）以下の高さを通る冷媒トラップ（59）を備えた形状に形成されていることを特徴とする冷凍装置。
【発明の詳細な説明】
【技術分野】
【０００１】
本発明は、逆サイクルの除霜運転が行われる冷媒回路を有する冷凍装置に関し、特に、除霜運転時に、着霜した熱交換器の下部で霜が溶け残るのを抑制する技術に関するものである。
【背景技術】
【０００２】
従来、冷凍サイクルで着霜した熱交換器の霜を除去するために、冷媒を逆サイクルで循環させる除霜運転を行う冷凍装置が知られている。ここで、冷凍装置には、庫内を冷却する冷却装置や、例えば低外気の条件で室内を暖房する空気調和装置などが含まれる。
【０００３】
例えば特許文献１には、空気調和装置の室外熱交換器の下部に過冷却コイルを設け、圧縮機の吐出ガス配管から分岐するバイパス配管を上記過冷却コイルに接続する構成が開示されている。バイパス配管には、電磁弁（開閉弁）や絞り機構（キャピラリチューブ）が設けられている。
【０００４】
この空気調和装置では、暖房運転時に室外熱交換器（蒸発器）に着霜すると行われる逆サイクルの除霜運転時には、圧縮機から吐出された高温のガス冷媒が該室外熱交換器の各冷媒パスを通過するとともに、高温のガス冷媒の一部が圧縮機の吐出ガス配管から分流して上記過冷却コイルを流れる。このように、特許文献１の技術では、逆サイクルの除霜運転時に過冷却コイルに高温のガス冷媒を流すことにより、熱交換器の下部の霜の溶け残りを防止するようにしている。
【先行技術文献】
【特許文献】
【０００５】
【特許文献１】特開２００７−２３２２７４号公報
【発明の概要】
【発明が解決しようとする課題】
【０００６】
しかしながら、特許文献１の技術では、電磁弁やキャピラリチューブを設けたバイパス配管を冷媒回路に設けているので、冷媒回路の構成が複雑になる。また、逆サイクルの除霜運転時には電磁弁を開くなどの操作が必要であり、制御も複雑になる。このように、特許文献１の技術では、逆サイクルの除霜運転時に霜の溶け残りを防止するために、装置構成や制御が複雑になる問題があった。
【０００７】
本発明は、このような問題点に鑑みてなされたものであり、その目的は、除霜運転時に、着霜した熱交換器の下部で霜が溶け残るのを抑制するとともに、構成や制御が複雑になるのも防止することである。
【課題を解決するための手段】
【０００８】
第１の発明は、１台または複数台の圧縮機（21a,21b）と第１熱交換器（23）と膨張機構（53）と第２熱交換器（51）とを備えて第１熱交換器（23）が放熱器となり第２熱交換器（51）が蒸発器となる正サイクルの冷却運転を行う冷媒回路（15）を備え、第２熱交換器（51）に着霜すると圧縮機（21a,21b）の吐出冷媒を該第２熱交換器（51）に供給して逆サイクルの除霜運転を行い、上記第２熱交換器（51）が上方から下方にわたって複数の冷媒パス（51a〜51n）を有し、上記膨張機構（53）と第２熱交換器（51）との間に設けられた分流器（55）と冷媒パス（51a〜51n）とがキャピラリチューブ（56）で接続された冷凍装置を前提としている。
【０００９】
そして、この冷凍装置は、上記第２熱交換器（51）の冷媒パス（51a〜51n）のうち少なくとも上記分流器（55）より下方に位置する冷媒パス（51a〜51n）に接続されたキャピラリチューブ（56）が、そのキャピラリチューブ（56）が接続された冷媒パス（51a〜51n）と分流器（55）とのヘッド差よりも大きな動圧抵抗を生じる絞りとして構成されていることを特徴としている。
【００１０】
この第１の発明では、上記第２熱交換器（51）の冷媒パス（51a〜51n）のうち少なくとも上記分流器（55）より下方に位置する冷媒パス（51a〜51n）に接続されたキャピラリチューブ（56）が、そのキャピラリチューブ（56）が接続された冷媒パス（51a〜51n）と分流器（55）とのヘッド差よりも大きな動圧抵抗を生じる絞りとして構成されている。従来の冷凍装置では、分流器（55）より下方に位置する冷媒パス（51a〜51n）に接続されたキャピラリチューブ（56）は、そのキャピラリチューブ（56）が接続された冷媒パス（51a〜51n）と分流器（55）とのヘッド差よりも小さな動圧抵抗を有している。したがって、除霜運転時には、熱交換器の下方のパスに接続されたキャピラリチューブ（56）を通って分流器（55）へ冷媒が流れにくく、熱交換器の下方の冷媒パス（51a〜51n）に液冷媒が溜まったままになって霜が溶け残る原因になっていたが、本発明では、動圧抵抗を上記のように設定したことにより、熱交換器の下方のパスに接続されたキャピラリチューブ（56）を通って分流器（55）へ冷媒が流れて行き、熱交換器の下方の冷媒パス（51a〜51n）に液冷媒が残らない。したがって、熱交換器の下部における霜の溶け残りを抑えられる。
【００１１】
第２の発明は、第１の発明において、上記第２熱交換器（51）の最下部の冷媒パス（51n）と上記分流器（55）とを繋ぐキャピラリチューブ（56）が、該最下部の冷媒パス（51n）と分流器（55）とのヘッド差よりも大きな動圧抵抗を生じる絞りとして構成され、すべてのキャピラリチューブ（56）が同一内径且つ同一長さであることを特徴としている。
【００１２】
この第２の発明では、上記第２熱交換器（51）の最下部の冷媒パス（51n）と上記分流器（55）とを繋ぐキャピラリチューブ（56）を、該最下部の冷媒パス（51n）と分流器（55）とのヘッド差よりも大きな動圧抵抗を生じる絞りとして構成し、すべてのキャピラリチューブ（56）を同一内径且つ同一長さにすることにより、熱交換器の下方のパスに液冷媒が溜まったままになるのを防止できるから、熱交換器の下部における霜の溶け残りを抑えられる。
【００１３】
第３の発明は、第２の発明において、上記除霜運転時に、上記分流器（55）の下流側の配管を流れる冷媒の温度を検出する温度センサ（75）を備えていることを特徴としている。
【００１４】
この第３の発明では、逆サイクルの除霜運転時に、第２熱交換器（51）の各冷媒パス（51a〜51n）から分流器（55）を通過した冷媒の温度が温度センサ（75）で検出される。この温度センサ（75）の部分には、逆サイクル運転時に分流器（55）を通過した後の冷媒全量が流れており、冷媒の温度が所定値以上になっていると、最下部の冷媒パス（51n）の霜が溶けたと判断できる。
【００１５】
第４の発明は、第１から第３の発明において、上記分流器（55）と上記第２熱交換器（51）の冷媒パス（51a〜51n）とに接続されたキャピラリチューブ（56）が、最下部の冷媒パス（51n）以下の高さを通る冷媒トラップ（59）を備えた形状に形成されていることを特徴としている。
【００１６】
ここで、一般に、逆サイクルの除霜運転を開始したときには、熱交換器の下部のパスに液冷媒が溜まっているので、圧縮機（21a,21b）から吐出されたガス冷媒が熱交換器の上部のパスを流れていく。そして、そのまま除霜運転を続けると、熱交換器の上部のパスに付着した霜は除去されるものの、下部のパスに付着した霜は除去されずに残ってしまうおそれがある。そのため、除霜運転が終了しても、熱交換器の下部には霜が残った状態になってしまうことが考えられる。
【００１７】
これに対して、上記第４の発明では、上記キャピラリチューブ（56）に冷媒トラップ（59）を設けることにより、最下部の冷媒パス（51n）の液冷媒がガス冷媒の通過抵抗になるだけでなく、上部の冷媒パス（51a〜51n）についても冷媒トラップ（59）に溜まった液冷媒が抵抗になるため、上記第２熱交換器（51）の各冷媒パス（51a〜51n）を冷媒が均等に流れる。したがって、通常の運転から除霜運転に切り換えたときに、各パスをガス冷媒が均等に流れやすくなり、上方の冷媒パス（51a〜51n）ばかりをガス冷媒が流れることを防止して下方のパスにもガス冷媒を供給できるので、下方のパスに付着した霜も確実に除去できる。
【発明の効果】
【００１８】
本発明によれば、上記第２熱交換器（51）の冷媒パス（51a〜51n）のうち少なくとも上記分流器（55）より下方に位置する冷媒パス（51a〜51n）に接続されたキャピラリチューブ（56）が、そのキャピラリチューブ（56）が接続された冷媒パス（51a〜51n）と分流器（55）とのヘッド差よりも大きな動圧抵抗を生じる絞りとして構成したことにより、熱交換器の下方のパスに接続されたキャピラリチューブ（56）を通って分流器（55）へ冷媒が流れて行き、熱交換器の下方の冷媒パス（51a〜51n）に液冷媒が滞留しない。したがって、除霜運転時に、着霜した熱交換器の下部で霜が溶け残るのを抑制することができる。
【００１９】
また、本発明によれば、冷媒回路（15）に電磁弁やキャピラリチューブ（56）を設けたバイパス配管を接続したり、逆サイクルの除霜運転時には電磁弁を開く操作をしたりする必要がないので、構成や制御が複雑になるのも防止できる。
【００２０】
上記第２の発明によれば、上記第２熱交換器（51）の最下部の冷媒パス（51n）と上記分流器（55）とを繋ぐキャピラリチューブ（56）を、該最下部の冷媒パス（51n）と分流器（55）とのヘッド差よりも大きな動圧抵抗を生じる絞りとして構成し、すべてのキャピラリチューブ（56）を同一内径且つ同一長さにすることにより、熱交換器の下方のパスに液冷媒が溜まったままになるのを防止できるから、装置構成をより簡単にすることができるとともに、熱交換器の下部における霜の溶け残りも抑えられる。
【００２１】
上記第３の発明によれば、逆サイクルの除霜運転時に、第２熱交換器（51）の各冷媒パス（51a〜51n）から分流器（55）を通過した冷媒の温度が温度センサ（75）で検出され、この冷媒の温度が所定値以上になっていると、最下部の冷媒パス（51n）の霜が溶けたと判断できる。この温度センサ（75）の部分には、逆サイクル運転時に分流器（55）を通過した後の冷媒全量が流れているので、除霜運転が終了したかどうかを正確に判断することができる。
【００２２】
上記第４の発明によれば、上記キャピラリチューブ（56）に冷媒トラップ（59）を設けることにより、最下部の冷媒パス（51n）の液冷媒がガス冷媒の通過抵抗になるだけでなく、上部の冷媒パス（51a〜51n）についても冷媒トラップ（59）に溜まった液冷媒が抵抗になるため、上記第２熱交換器（51）の各冷媒パス（51a〜51n）を冷媒が均等に流れるようにしている。したがって、各パスをガス冷媒が均等に流れやすくなり、上方の冷媒パス（51a〜51n）ばかりをガス冷媒が流れることを防止して下方のパスにもガス冷媒を供給できる。そのため、通常の運転から除霜運転に切り換えたときに、冷媒がガス相と液相とに分離することに起因する偏流を抑えることができるから、着霜した熱交換器において液相冷媒が溜まった下方の冷媒パス（51a〜51n）の部分に霜の溶け残りが生じてしまうのを抑制することができる。
【図面の簡単な説明】
【００２３】
【図１】図１は、本発明の実施形態に係る冷凍装置の冷媒回路図である。
【図２】図２は、利用側熱交換器周りの配管の詳細を示す回路構成図である。
【図３】図３は、分流器キャピラリチューブの長さと管径の比率と冷媒循環量との管径を示すグラフである。
【図４】図４は、図１の冷媒回路における冷却運転の冷媒の流れを示す図である。
【図５】図５は、図１の冷媒回路における逆サイクルの除霜運転の冷媒の流れを示す図である。
【図６】図６は、その他の実施形態に係る冷凍装置の利用側熱交換器周りの配管の詳細を示す回路構成図である。
【発明を実施するための形態】
【００２４】
以下、本発明の実施形態を図面に基づいて詳細に説明する。
【００２５】
図１は、この実施形態に係る冷凍装置（10）の構成例を示している。冷凍装置（10）は、庫外に設けられる熱源側ユニット（11）と、冷蔵庫や冷凍庫などの庫内に設けられる利用側ユニット（12）と、コントローラ（80）とを備えている。熱源側ユニット（11）には、熱源側回路（16）と熱源側ファン（17）とが設けられ、利用側ユニット（12）には、利用側回路（18）と利用側ファン（19）とが設けられている。この冷凍装置（10）では、熱源側ユニット（11）の熱源側回路（16）と利用側ユニット（12）の利用側回路（18）とが液側連絡配管（13）およびガス側連絡配管（14）によって接続されて、冷媒が循環して蒸気圧縮式の冷凍サイクルが行われる冷媒回路（15）が構成されている。具体的には、熱源側回路（16）の液端およびガス端に液閉鎖弁（V1）およびガス閉鎖弁（V2）がそれぞれ設けられ、液閉鎖弁（V1）およびガス閉鎖弁（V2）に液側連絡配管（13）の一端およびガス側連絡配管（14）の一端がそれぞれ接続され、液側連絡配管（13）およびガス側連絡配管（14）の他端に利用側回路（18）の液端およびガス端がそれぞれ接続されている。
【００２６】
〈熱源側回路〉
熱源側回路（16）は、第１圧縮機（21a）および第２圧縮機（21b）と、四方切換弁（22）と、熱源側熱交換器（23）と、過冷却熱交換器（24）と、過冷却膨張弁（31）と、中間膨張弁（32）と、中間開閉弁（33）と、中間逆止弁（34）と、レシーバ（35）と、熱源側膨張弁（36）と、第１逆止弁（CV1），第２逆止弁（CV2），第３逆止弁（CV3）と、第１油分離器（OSa）および第２油分離器（OSb）と、第１吐出逆止弁（CVa）および第２吐出逆止弁（CVb）と、第１キャピラリチューブ（CTa）および第２キャピラリチューブ（CTb）と、油分離逆止弁（CVc）とを有している。
【００２７】
また、熱源側回路（16）には、吐出冷媒配管（41）と、吸入冷媒配管（42）と、熱源側液冷媒配管（43）と、インジェクション配管（44）と、第１接続配管（45）および第２接続配管（46）と、油戻し配管（47）とが設けられている。
【００２８】
第１圧縮機（21a）は、吸入した冷媒を圧縮して吐出するように構成されている。また、第１圧縮機（21a）には、吸入ポートと、中間ポートと、吐出ポートとが設けられている。吸入ポートは、第１圧縮機（21a）の吸入行程において圧縮室（すなわち、低圧の圧縮室）と連通するように形成されている。中間ポートは、第１圧縮機（21a）の圧縮行程の途中において圧縮室（すなわち、中間圧の圧縮室）と連通するように形成されている。吐出ポートは、第１圧縮機（21a）の吐出行程において圧縮室（すなわち、高圧の圧縮室）と連通するように構成されている。例えば、第１圧縮機（21a）は、互いに歯合する固定スクロールおよび可動スクロールの間に圧縮室が構成されるスクロール式の圧縮機によって構成されている。第２圧縮機（21b）は、第１圧縮機（21a）の構成と同様の構成を有している。
【００２９】
なお、第１圧縮機（21a）は、その運転周波数（容量）が可変に構成されている。すなわち、第１圧縮機（21a）は、インバータ（図示を省略）の出力周波数を変化させることで、その内部に設けられた電動機の回転数が変化し、その運転周波数が変化するように構成されている。一方、第２圧縮機（21b）は、その運転周波数（容量）が固定されている。すなわち、第２圧縮機（21b）は、その内部に設けられた電動機の回転数が一定であり、その運転周波数が一定となっている。
【００３０】
四方切換弁（22）は、第１ポートと第３ポートとが連通し且つ第２ポートと第４ポートとが連通する第１状態（図１の実線で示された状態）と、第１ポートと第４ポートとが連通し且つ第２ポートと第３ポートとが連通する第２状態（図１の破線で示された状態）とに切り換え可能に構成されている。
【００３１】
四方切換弁（22）の第１ポートは、吐出冷媒配管（41）によって第１および第２圧縮機（21a,21b）の吐出ポートに接続され、四方切換弁（22）の第２ポートは、吸入冷媒配管（42）によって第１および第２圧縮機（21a,21b）の吸入ポートに接続されている。四方切換弁（22）の第３ポートは、熱源側熱交換器（23）のガス端に接続され、四方切換弁（22）の第４ポートは、ガス閉鎖弁（V2）に接続されている。
【００３２】
吐出冷媒配管（41）は、一端が第１および第２圧縮機（21a,21b）の吐出ポートに接続される第１および第２吐出管（41a,41b）と、第１および第２吐出管（41a,41b）の他端と四方切換弁（22）の第１ポートとを接続する吐出主管（41c）とによって構成されている。
【００３３】
吸入冷媒配管（42）は、一端が第１および第２圧縮機（21a,21b）の吸入ポートにそれぞれ接続される第１および第２吸入管（42a,42b）と、第１および第２吸入管（42a,42b）の他端と四方切換弁（22）の第２ポートとを接続する吸入主管（42c）とによって構成されている。
【００３４】
熱源側熱交換器（23）は、その液端が熱源側液冷媒配管（43）の一端に接続され、そのガス端が四方切換弁（22）の第３ポートに接続されている。また、熱源側熱交換器（23）の近傍には、熱源側ファン（17）が配置されている。そして、熱源側熱交換器（23）は、冷媒と熱源側ファン（17）によって搬送された熱源側空気（すなわち、庫外空気）とを熱交換させるように構成されている。例えば、熱源側熱交換器（23）は、クロスフィン式のフィン・アンド・チューブ型熱交換器によって構成されている。
【００３５】
熱源側液冷媒配管（43）は、その一端が熱源側熱交換器（23）に接続され、その他端が液閉鎖弁（V1）に接続されている。この例では、熱源側液冷媒配管（43）は、熱源側熱交換器（23）の液端とレシーバ（35）とを接続する第１熱源側液管（43a）と、レシーバ（35）と過冷却熱交換器（24）とを接続する第２熱源側液管（43b）と、過冷却熱交換器（24）と液閉鎖弁（V1）とを接続する第３熱源側液管（43c）とによって構成されている。
【００３６】
インジェクション配管（44）は、熱源側液冷媒配管（43）の第１中途部（Q1）と第１および第２圧縮機（21a,21b）の中間ポートとを接続している。この例では、インジェクション配管（44）は、熱源側液冷媒配管（43）の第１中途部（Q1）と過冷却熱交換器（24）とを接続する第１インジェクション主管（44m）と、一端が過冷却熱交換器（24）に接続される第２インジェクション主管（44n）と、第２インジェクション主管（44n）の他端と第１および第２圧縮機（21a,21b）の中間ポートとをそれぞれ接続する第１および第２インジェクション分岐管（44a,44b）とによって構成されている。
【００３７】
過冷却熱交換器（24）は、熱源側液冷媒配管（43）とインジェクション配管（44）とに接続され、熱源側液冷媒配管（43）を流れる冷媒とインジェクション配管（44）を流れる冷媒とを熱交換させるように構成されている。この例では、過冷却熱交換器（24）は、第２熱源側液管（43b）と第３熱源側液管（43c）との間に接続される第１流路（24a）と、第１インジェクション主管（44m）と第２インジェクション主管（44n）との間に接続される第２流路（24b）とを有し、第１流路（24a）を流れる冷媒と第２流路（24b）を流れる冷媒とを熱交換させるように構成されている。例えば、過冷却熱交換器（24）は、プレート型熱交換器によって構成されている。
【００３８】
過冷却膨張弁（31）は、インジェクション配管（44）において熱源側液冷媒配管（43）の第１中途部（Q1）と過冷却熱交換器（24）との間（この例では、第１インジェクション主管（44m））に設けられている。また、過冷却膨張弁（31）は、その開度を調節可能に構成されている。例えば、過冷却膨張弁（31）は、電子膨張弁（電動弁）によって構成されている。
【００３９】
中間膨張弁（32）は、インジェクション配管（44）において過冷却熱交換器（24）と第１圧縮機（21a）の中間ポートとの間（この例では、第１インジェクション分岐管（44a））に設けられている。また、中間膨張弁（32）は、その開度を調節可能に構成されている。例えば、中間膨張弁（32）は、電子膨張弁（電動弁）によって構成されている。
【００４０】
中間開閉弁（33）および中間逆止弁（34）は、インジェクション配管（44）において過冷却熱交換器（24）と第２圧縮機（21b）の中間ポートとの間（この例では、第２インジェクション分岐管（44b））に設けられている。第２インジェクション分岐管（44b）では、第２インジェクション分岐管（44b）の入口側から出口側へ向けて中間開閉弁（33）と中間逆止弁（34）とが順に配置されている。
【００４１】
中間開閉弁（33）は、その開閉を切り換え可能に構成されている。例えば、中間開閉弁（33）は、電磁弁によって構成されている。中間逆止弁（34）は、第２インジェクション分岐管（44b）の入口側から出口側へ向かう冷媒の流れを許容し、その逆方向の冷媒の流れを阻止するように構成されている。
【００４２】
レシーバ（35）は、熱源側液冷媒配管（43）において熱源側熱交換器（23）と過冷却熱交換器（24）との間に接続され、凝縮器（具体的には、熱源側熱交換器（第１熱交換器）（23）または後述の利用側熱交換器（第２熱交換器）（51））において凝縮した冷媒を一時的に貯留することができるように構成されている。この例では、レシーバ（35）は、その入口に第１熱源側液管（43a）が接続され、その出口に第２熱源側液管（43b）が接続されている。
【００４３】
第１接続配管（45）は、熱源側液冷媒配管（43）の第２中途部（Q2）と第３中途部（Q3）とを接続している。第２中途部（Q2）は、熱源側液冷媒配管（43）において第１中途部（Q1）と液閉鎖弁（V1）との間に位置し、第３中途部（Q3）は、熱源側液冷媒配管（43）において熱源側熱交換器（23）の液端とレシーバ（35）との間に位置する。
【００４４】
第２接続配管（46）は、熱源側液冷媒配管（43）の第４中途部（Q4）と第５中途部（Q5）とを接続している。第４中途部（Q4）は、熱源側液冷媒配管（43）において第１中途部（Q1）と第２中途部（Q2）の間に位置し、第５中途部（Q5）は、熱源側液冷媒配管（43）において熱源側熱交換器（23）の液端と第３中途部（Q3）との間に位置する。
【００４５】
熱源側膨張弁（36）は、第２接続配管（46）に設けられている。また、熱源側膨張弁（36）は、その開度を調節可能に構成されている。例えば、熱源側膨張弁（36）は、電子膨張弁（電動弁）によって構成されている。
【００４６】
第１逆止弁（CV1）は、熱源側液冷媒配管（43）の第３中途部（Q3）と第５中途部（Q5）との間に設けられ、第５中途部（Q5）から第３中途部（Q3）へ向かう冷媒の流れを許容し、その逆方向の冷媒の流れを阻止するように構成されている。
【００４７】
第２逆止弁（CV2）は、熱源側液冷媒配管（43）の第２中途部（Q2）と第４中途部（Q4）との間に設けられ、第４中途部（Q4）から第２中途部（Q2）へ向かう冷媒の流れを許容し、その逆方向の冷媒の流れを阻止するように構成されている。
【００４８】
第３逆止弁（CV3）は、第１接続配管（45）に設けられ、熱源側液冷媒配管（43）の第２中途部（Q2）から第３中途部（Q3）へ向かう冷媒の流れを許容し、その逆方向の冷媒の流れを阻止するように構成されている。
【００４９】
第１油分離器（OSa）および第１吐出逆止弁（CVa）は、吐出冷媒配管（41）において第１圧縮機（21a）と四方切換弁（22）の第１ポートとの間（具体的には、第１吐出管（41a））に設けられている。第１吐出管（41a）では、第１吐出管（41a）の入口側から出口側へ向けて第１油分離器（OSa）と第１吐出逆止弁（CVa）とが順に配置されている。第１油分離器（OSa）は、第１圧縮機（21a）から吐出された冷媒から冷凍機油を分離して内部に貯留することができるように構成されている。第１吐出逆止弁（CVa）は、第１吐出管（41a）の入口側から出口側へ向かう冷媒の流れを許容し、その逆方向の冷媒の流れを阻止するように構成されている。
【００５０】
第２油分離器（OSb）は、吐出冷媒配管（41）において第２圧縮機（21b）と四方切換弁（22）の第１ポートとの間（具体的には、第２吐出管（41b））に設けられている。第２吐出管（41b）では、第２吐出管（41b）の入口側から出口側へ向けて第２油分離器（OSb）と第２吐出逆止弁（CVb）とが順に配置されている。第２油分離器（OSb）は、第２圧縮機（21b）から吐出された冷媒から冷凍機油を分離して内部に貯留することができるように構成されている。第２吐出逆止弁（CVb）は、第２吐出管（41b）の入口側から出口側へ向かう冷媒の流れを許容し、その逆方向の冷媒の流れを阻止するように構成されている。
【００５１】
油戻し配管（47）は、第１および第２油分離器（OSa,OSb）に貯留された冷凍機油をインジェクション配管（44）に供給するための配管である。この例では、油戻し配管（47）は、一端が第１および第２油分離器（OSa,OSb）に接続される第１および第２油戻し管（47a,47b）と、第１および第２油戻し管（47a,47b）の他端とインジェクション配管（44）の中途部（具体的には、第２インジェクション主管（44n）の中途部（Q6））とを接続する油戻し主管（47c）とによって構成されている。
【００５２】
第１キャピラリチューブ（CTa）は、油戻し配管（47）において第１油分離器（OSa）とインジェクション配管（44）の中途部（Q6）との間（具体的には、第１油戻し管（47a））に設けられている。
【００５３】
第２キャピラリチューブ（CTb）および油戻し逆止弁（CVc）は、油戻し配管（47）において第２油分離器（OSb）とインジェクション配管（44）の中途部（Q6）との間（具体的には、第２油戻し管（47b））に設けられている。第２油戻し管（47b）では、第２油戻し管（47b）の入口側から出口側へ向けて油戻し逆止弁（CVc）と第２キャピラリチューブ（CTb）とが順に配置されている。油戻し逆止弁（CVc）は、第２油戻し管（47b）の入口側から出口側へ向かう冷媒の流れを許容し、その逆方向の冷媒の流れを阻止するように構成されている。
【００５４】
〈利用側回路〉
利用側回路（18）は、利用側熱交換器（51）と、利用側開閉弁（52）と、利用側膨張弁（膨張機構）（53）と、利用側逆止弁（54）とを有している。また、利用側回路（18）には、利用側液冷媒配管（61）と、利用側ガス冷媒配管（62）と、バイパス配管（63）とが設けられている。なお、図１は、利用側熱交換器（51）と、利用側熱交換器（51）に接続されている配管を簡略化して示している。
【００５５】
利用側熱交換器（51）は、その液端が利用側液冷媒配管（61）によって液側連絡配管（13）に接続され、そのガス端が利用側ガス冷媒配管（62）によってガス側連絡配管（14）に接続されている。また、利用側熱交換器（51）の近傍には、利用側ファン（19）が配置されている。そして、利用側熱交換器（51）は、冷媒と利用側ファン（19）によって搬送された利用側空気（すなわち、庫内空気）とを熱交換させるように構成されている。例えば、利用側熱交換器（51）は、クロスフィン式のフィン・アンド・チューブ型熱交換器によって構成されている。
【００５６】
利用側液冷媒配管（61）は、その一端が液側連絡配管（13）に接続され、その他端が利用側熱交換器（51）の液端に接続されている。利用側ガス冷媒配管（62）は、その一端が利用側熱交換器（51）のガス端に接続され、その他端がガス側連絡配管（14）に接続されている。
【００５７】
利用側開閉弁（52）および利用側膨張弁（53）は、利用側液冷媒配管（61）に設けられている。利用側液冷媒配管（61）では、利用側液冷媒配管（61）の一端側から他端側へ向けて利用側開閉弁（52）と利用側膨張弁（53）とが順に配置されている。
【００５８】
利用側開閉弁（52）は、その開閉を切り換え可能に構成されている。例えば、利用側開閉弁（52）は、電磁弁によって構成されている。利用側膨張弁（53）は、その開度を調節可能に構成されている。この例では、利用側膨張弁（53）は、外部均圧形温度自動膨張弁によって構成されている。すなわち、利用側膨張弁（53）は、利用側ガス冷媒配管（62）に設けられる感温筒（53a）と、利用側ガス冷媒配管（62）の中途部に接続される均圧管（図示を省略）とを有し、感温筒（53a）の温度と均圧管の冷媒圧力とに応じて開度が調節される。
【００５９】
バイパス配管（63）は、その一端が利用側液冷媒配管（61）における利用側膨張弁（53）と利用側熱交換器（51）との間の中途部に接続され、その他端が利用側液冷媒配管（61）における液側連絡配管（13）と利用側開閉弁（52）との間の中途部に接続されている。
【００６０】
利用側逆止弁（54）は、バイパス配管（63）に設けられ、利用側熱交換器（51）側から液側連絡配管（13）側への冷媒の流れを許容し、その逆方向の冷媒の流れを阻止するように構成されている。
【００６１】
次に、利用側熱交換器（51）の詳細と、該利用側熱交換器（51）に対する冷媒配管接続の詳細について説明する。図１では省略しているが、利用側熱交換器は、図２に示すように上方から下方にわたって配置された複数の冷媒パス（51a〜51n）を有している。また、利用側膨張弁（53）と利用側熱交換器（51）との間には分流器（55）が接続され、この分流器（55）と各冷媒パス（51a〜51n）とがキャピラリチューブ（56（56a〜56n））で接続されている。
【００６２】
この冷凍装置（10）では、上記利用側熱交換器（51）の冷媒パス（51a〜51n）のうち少なくとも上記分流器（55）より下方に位置する冷媒パスに接続されたキャピラリチューブ（56）が、そのキャピラリチューブ（56）が接続された冷媒パス（51a〜51n）と分流器（55）とのヘッド差よりも大きな動圧抵抗を生じる絞りとして構成されている。具体的には、図３に示すように、キャピラリチューブ（56）と冷却管（冷媒パス）（51a〜51n）の動圧抵抗を加えた値が、分流器（55）と最下部の冷媒パス（51n）のヘッド差（ΔPHi）よりも大きくなるように、キャピラリチューブ（56）の長さと管径が定められている。
【００６３】
特に、本実施形態では、上記利用側熱交換器（51）の最下部の冷媒パス（51n）と上記分流器（55）とを繋ぐキャピラリチューブ（56n）が、該最下部の冷媒パス（51n）と分流器（55）とのヘッド差よりも大きな動圧抵抗を生じる絞りとして構成され、かつ、すべてのキャピラリチューブ（56a〜56n）を同一内径且つ同一長さにしている。
【００６４】
上記利用側回路（18）には、上記除霜運転時に上記分流器（55）の下流側の配管を流れる冷媒の温度を検出する温度センサ（75）が設けられている。また、この冷凍装置（10）は、上述したように、上記利用側膨張弁（53）と利用側熱交換器（51）とを備えた利用側ユニット（庫内ユニット）（12）を有する冷凍装置であり、上記温度センサ（75）は、上記利用側ユニット（12）の内部に設けられている。
【００６５】
〈各種センサ〉
また、冷凍装置（10）には、吸入温度センサ（71）や吸入圧力センサ（72）や庫内温度センサ（73）などの各種センサが設けられている。
【００６６】
吸入温度センサ（71）は、第１および第２圧縮機（21a,21b）に吸入される冷媒の温度（以下、「吸入温度」と記載）を検出するように構成されている。この例では、吸入温度センサ（71）は、吸入主管（42c）に設置され、設置場所の冷媒温度を吸入温度として検出する。
【００６７】
吸入圧力センサ（72）は、第１および第２圧縮機（21a,21b）に吸入される冷媒の圧力（以下、「吸入圧力」と記載）を検出するように構成されている。この例では、吸入圧力センサ（72）は、吸入主管（42c）に設置され、設置場所の冷媒圧力を吸入圧力として検出する。
【００６８】
庫内温度センサ（73）は、庫内の空気の温度（以下、「庫内温度（Tr）」と記載）を検出するように構成されている。この例では、庫内温度センサ（73）は、利用側ユニット（12）において利用側ファン（19）の空気流れの上流側に設置され、設置場所の空気温度を庫内温度（Tr）として検出する。
【００６９】
〈コントローラ〉
コントローラ（80）は、各種センサの検出値に基づいて冷凍装置（10）の各部を制御して冷凍装置（10）の運転動作を制御する。この例では、コントローラ（80）は、熱源側ユニット（11）に設けられる主制御器（81）と、利用側ユニット（12）に設けられる利用側制御器（82）とによって構成されている。
【００７０】
主制御器（81）は、熱源側ユニット（11）に設けられた構成部品を制御する。この例では、熱源側ユニット（11）に設けられた熱源側ファン（17）、各種弁（この例では、四方切換弁（22）と過冷却膨張弁（31）と中間膨張弁（32）と中間開閉弁（33）と熱源側膨張弁（36））、第１圧縮機（21a）および第２圧縮機（21b）などを制御し、目標蒸発温度の設定も行う。
【００７１】
利用側制御器（82）は、利用側ユニット（12）に設けられた構成部品（この例では、利用側ファン（19）と利用側開閉弁（52））を制御する。
【００７２】
また、利用側制御器（82）は、冷凍装置（10）の運転を開始すべきか否かを判定し、冷凍装置（10）の運転を開始すべきと判定すると、冷却運転（庫内を冷却するための運転）のための動作を開始するとともに、運転開始信号を主制御器（81）に送信する。また、利用側制御器（82）は、冷凍装置（10）の運転を終了すべきか否かを判定し、冷凍装置（10）の運転を終了すべきと判定すると、冷却運転のための動作を終了するとともに、運転終了信号を主制御器（81）に送信する。例えば、利用側制御器（82）は、ユーザによる操作（運転開始および運転終了を指示するための操作）に応答して、冷凍装置（10）の運転開始および運転終了を判定する。
【００７３】
また、利用側制御器（82）は、冷却運転が行われている期間において除霜運転（利用側熱交換器（51）の除霜のための運転）を開始すべきか否かを判定し、除霜運転を開始すべきと判定すると、除霜運転のための動作を開始するとともに、除霜開始信号を主制御器（81）に送信する。また、利用側制御器（82）は、除霜運転が行われている期間において除霜運転を終了すべきか否かを判定し、除霜運転を終了すべきと判定すると、除霜運転のための動作を終了して冷却運転のための動作を開始するとともに、除霜終了信号を主制御器（81）に送信する。例えば、利用側制御器（82）は、冷却運転を開始した時点から予め定められた所定時間（冷却運転時間）が経過すると、除霜運転を開始すべきと判定し、例えば温度センサ（75）の検出温度が所定温度に達すると、除霜運転を終了すべきと判定する。なお、除霜運転を開始した時点から予め定めた所定時間（除霜運転時間）が経過すると、除霜運転が終了したと判定してもよい。
【００７４】
以上のように、本実施形態の冷凍装置（10）は、圧縮機（21a,21b）と熱源側熱交換器（第１熱交換器）（23）と利用側膨張弁（膨張機構）（53）と利用側熱交換器（第２熱交換器）（51）とを備えて熱源側熱交換器（23）が放熱器となり利用側熱交換器（51）が蒸発器となる正サイクルの冷却運転を行う冷媒回路（15）を備えた冷凍装置である。そして、この冷凍装置（10）は、利用側熱交換器（51）に着霜すると圧縮機（21a,21b）の吐出冷媒を該利用側熱交換器（51）に供給して逆サイクルの除霜運転を行うように構成されている。
【００７５】
−運転動作−
次に、冷凍装置（10）の運転動作について説明する。
【００７６】
〈冷却運転中の冷媒の流れ〉
次に、図４を参照して、冷却運転中の冷媒回路（15）における冷媒の流れについて説明する。冷却運転では、四方切換弁（22）が第１状態に設定され、第１および第２圧縮機（21a,21b）の吐出ポートと熱源側熱交換器（23）のガス端とが連通し、第１および第２圧縮機（21a,21b）の吸入ポートとガス側連絡配管（14）とが連通する。
【００７７】
第１および第２圧縮機（21a,21b）から吐出された冷媒は、吐出冷媒配管（41）において第１および第２油分離器（OSa,OSb）と第１および第２吐出逆止弁（CVa,CVb）とを通過した後に、四方切換弁（22）を通過して熱源側熱交換器（23）に流入し、熱源側熱交換器（23）において熱源側空気（すなわち、庫外空気）に放熱して凝縮する。熱源側熱交換器（23）から流出した冷媒（高圧冷媒）は、第１熱源側液管（43a）において第１逆止弁（CV1）を通過した後に、レシーバ（35）と第２熱源側液管（43b）と順に通過して過冷却熱交換器（24）の第１流路（24a）に流入し、過冷却熱交換器（24）の第２流路（24b）を流れる冷媒（中間圧冷媒）に吸熱されて過冷却される。過冷却熱交換器（24）の第１流路（24a）から流出した冷媒は、第３熱源側液管（43c）に流入し、その一部が第１インジェクション主管（44m）に流入し、その残部が第３熱源側液管（43c）において第２逆止弁（CV2）を通過した後に液閉鎖弁（V1）を通過して液側連絡配管（13）に流入する。
【００７８】
第１インジェクション主管（44m）に流入した冷媒は、過冷却膨張弁（31）において減圧されて過冷却熱交換器（24）の第２流路（24b）に流入し、過冷却熱交換器（24）の第１流路（24a）を流れる冷媒（高圧冷媒）から吸熱する。過冷却熱交換器（24）の第２流路（24b）から流出した冷媒は、第２インジェクション主管（44n）を通過し、その一部が第１インジェクション分岐管（44a）に流入し、その残部が第２インジェクション分岐管（44b）に流入する。第１インジェクション分岐管（44a）に流入した冷媒は、中間膨張弁（32）において減圧されて第１圧縮機（21a）の中間ポートに流入する。第２インジェクション分岐管（44b）に流入した冷媒は、中間開閉弁（33）と中間逆止弁（34）とを順に通過して第２圧縮機（21b）の中間ポートに流入する。中間ポートを通過して第１および第２圧縮機（21a,21b）内に流入した冷媒は、第１および第２圧縮機（21a,21b）内の冷媒（具体的には、圧縮室内の冷媒）と混合される。すなわち、第１および第２圧縮機（21a,21b）内の冷媒が冷却されながら圧縮される。
【００７９】
一方、液側連絡配管（13）に流入した冷媒は、利用側ユニット（12）の利用側液冷媒配管（61）において開状態の利用側開閉弁（52）を通過して利用側膨張弁（53）において減圧されて利用側熱交換器（51）に流入し、利用側熱交換器（51）において利用側空気（すなわち、庫内空気）から吸熱して蒸発する。これにより、利用側空気が冷却される。利用側熱交換器（51）から流出した冷媒は、利用側ガス冷媒配管（62）とガス側連絡配管（14）と熱源側ユニット（11）のガス閉鎖弁（V2）と四方切換弁（22）と吸入冷媒配管（42）とを順に通過して第１および第２圧縮機（21a,21b）の吸入ポートに吸入される。
【００８０】
また、第１および第２油分離器（OSa,OSb）では、冷媒（すなわち、第１および第２圧縮機（21a,21b）から吐出された冷媒）から冷凍機油が分離され、その冷凍機油が第１および第２油分離器（OSa,OSb）に貯留される。第１油分離器（OSa）に貯留された冷凍機油は、第１油戻し管（47a）において第１キャピラリチューブ（CTa）を通過した後に、油戻し主管（47c）に流入する。第２油分離器（OSb）に貯留された冷凍機油は、第２油戻し管（47b）において油戻し逆止弁（CVc）と第２キャピラリチューブ（CTb）とを順に通過した後に、油戻し主管（47c）に流入する。油戻し主管（47c）に流入した冷凍機油は、第２インジェクション主管（44n）に流入して第２インジェクション主管（44n）を流れる冷媒と合流する。
【００８１】
〈除霜運転中の冷媒の流れ〉
次に、図５を参照して、除霜運転中の冷媒回路（15）における冷媒の流れについて説明する。除霜運転では、四方切換弁（22）が第２状態に設定され、第１および第２圧縮機（21a,21b）の吐出ポートとガス側連絡配管（14）とが連通し、第１および第２圧縮機（21a,21b）の吸入ポートと熱源側熱交換器（23）のガス端とが連通する。
【００８２】
第１および第２圧縮機（21a,21b）から吐出された冷媒は、吐出冷媒配管（41）において第１および第２油分離器（OSa,OSb）と第１および第２吐出逆止弁（CVa,CVb）を通過した後に、四方切換弁（22）とガス閉鎖弁（V2）とを順に通過してガス側連絡配管（14）に流入する。ガス側連絡配管（14）に流入した冷媒は、利用側ユニット（12）の利用側ガス冷媒配管（62）を通過して利用側熱交換器（51）に流入し、利用側熱交換器（51）において放熱して凝縮する。これにより、利用側熱交換器（51）に付着した霜が加熱されて融解する。利用側熱交換器（51）から流出した冷媒は、その一部が利用側液冷媒配管（61）において開状態の利用側膨張弁（53）と開状態の利用側開閉弁（52）とを順に通過し、その残部がバイパス配管（63）において利用側逆止弁（54）を通過する。利用側液冷媒配管（61）において開状態の利用側開閉弁（52）を通過した冷媒は、バイパス配管（63）において利用側逆止弁（54）を通過した冷媒と合流して液側連絡配管（13）に流入する。
【００８３】
液側連絡配管（13）を通過した冷媒は、熱源側ユニット（11）の液閉鎖弁（V1）を通過して第１接続配管（45）に流入し、第１接続配管（45）において第３逆止弁（CV3）を通過して第１熱源側液管（43a）の中途部（第３中途部（Q3））に流入する。第１熱源側液管（43a）の中途部に流入した冷媒は、レシーバ（35）と第２熱源側液管（43b）と過冷却熱交換器（24）の第１流路（24a）とを順に通過して第３熱源側液管（43c）に流入する。第３熱源側液管（43c）に流入した冷媒は、第４中途部（Q4）において第２接続配管（46）に流入し、熱源側膨張弁（36）において減圧されて第１熱源側液管（43a）の中途部（第５中途部（Q5））に流入する。第１熱源側液管（43a）の中途部に流入した冷媒は、熱源側熱交換器（23）に流入し、熱源側熱交換器（23）において熱源側空気（すなわち、庫外空気）から吸熱して蒸発する。熱源側熱交換器（23）から流出した冷媒は、四方切換弁（22）と吸入冷媒配管（42）とを順に通過して第１および第２圧縮機（21a,21b）の吸入ポートに吸入される。
【００８４】
除霜運転中の利用側熱交換器（51）における具体的な動作について説明する。
【００８５】
この実施形態では、上述したように、上記利用側熱交換器（51）の冷媒パス（51a〜51n）のうち少なくとも上記分流器（55）よりも下方に位置する冷媒パスに接続されたキャピラリチューブ（56）が、そのキャピラリチューブ（56）が接続された冷媒パス（51a〜51n）と分流器（55）とのヘッド差よりも大きな動圧抵抗を生じる絞りとして構成されている。従来の冷凍装置では、分流器（55）より下方に位置する冷媒パス（51a〜51n）に接続されたキャピラリチューブ（56）は、そのキャピラリチューブ（56）が接続された冷媒パス（51a〜51n）と分流器（55）とのヘッド差よりも小さな動圧抵抗を生じるものである。したがって、除霜運転時には、利用側熱交換器（51）の下方の冷媒パスに接続されたキャピラリチューブ（56）を通って分流器（55）へ冷媒が流れて行かず、利用側熱交換器（51）の下方の冷媒パスに液冷媒が溜まったままになって霜が溶け残る原因になっていた。これに対して、本実施形態では、動圧抵抗を上記のように設定したことにより、利用側熱交換器（51）の下方のパスに接続されたキャピラリチューブ（56）を通って分流器（55）へ冷媒が流れて行くから、利用側熱交換器（51）の下方の冷媒パスに液冷媒が滞留しない。したがって、利用側熱交換器（51）の下部における霜の溶け残りを抑えられる。
【００８６】
特に、本実施形態では、上記利用側熱交換器（51）の最下部の冷媒パス（51n）と上記分流器（55）とを繋ぐキャピラリチューブ（56）を、該最下部の冷媒パス（51n）と分流器（55）とのヘッド差よりも大きな動圧抵抗を生じる絞りとして構成するとともに、すべてのキャピラリチューブ（56）を同一内径且つ同一長さにしている。したがって、構成を簡素化することが可能であり、なおかつ、利用側熱交換器（51）の下方の冷媒パスに液冷媒が溜まったままになるのを防止して利用側熱交換器（51）の下部における霜の溶け残りを抑えられる。
【００８７】
また、逆サイクルの除霜運転時には、利用側熱交換器（51）の各冷媒パスから分流器（55）を通過した冷媒の温度が温度センサ（75）で検出される。この温度センサ（75）が設けられている部分には、逆サイクル運転時に分流器（55）を通過した後の冷媒全量が流れており、この冷媒の温度が所定値以上になっていると、最下部の冷媒パス（51n）の霜が溶けたと判断できる。
【００８８】
−実施形態の効果−
本実施形態によれば、上記利用側熱交換器（51）の冷媒パス（51a〜51n）のうち少なくとも上記分流器（55）より下方に位置する冷媒パスに接続されたキャピラリチューブ（56）を、そのキャピラリチューブ（56）が接続された冷媒パス（51a〜51n）と分流器（55）とのヘッド差よりも大きな動圧抵抗を生じる絞りとして構成したことにより、利用側熱交換器（51）の下方の冷媒パスに接続されたキャピラリチューブ（56）を通って分流器（55）へ冷媒を流すことができる。したがって、利用側熱交換器（51）の下方の冷媒パスに液冷媒が滞留しないので、除霜運転時に、着霜した利用側熱交換器（51）の下部の霜が溶け残るのを抑制することができる。
【００８９】
特に、上記実施形態によれば、上記利用側熱交換器（51）の最下部の冷媒パス（51n）と上記分流器（55）とを繋ぐキャピラリチューブ（56）を、該最下部の冷媒パス（51n）と分流器（55）とのヘッド差よりも大きな動圧抵抗を生じる絞りとして構成し、すべてのキャピラリチューブ（56）を同一内径且つ同一長さにしているので、装置構成をより簡単にすることができる効果を得たうえで、利用側熱交換器（51）の下方の冷媒パスに液冷媒が溜まったままになるのを防止できる。
【００９０】
また、本実施形態によれば、冷媒回路（18）に電磁弁やキャピラリチューブを設けたバイパス配管を接続したり、逆サイクルの除霜運転時には電磁弁を開く操作をしたりする必要がないので、構成や制御が複雑になるのも防止できる。
【００９１】
また、上記実施形態によれば、逆サイクルの除霜運転時に、利用側熱交換器（51）の各冷媒パス（51a〜51n）から分流器（55）を通過した冷媒の温度が温度センサ（75）で検出され、この冷媒の温度が所定値以上になっていると、最下部の冷媒パス（51n）の霜が溶けたと判断できる。この温度センサ（75）の部分には、逆サイクル運転時に分流器（55）を通過した後の冷媒全量が流れているので、除霜運転が終了したかどうかを正確に判断することができる。また、利用側ユニット（12）に設けた温度センサ（75）を利用して除霜運転が終了したかどうかを検知することができるから、除霜運転の終了検知を利用側ユニットだけで完結させることができる。
【００９２】
−実施形態の変形例−
上記温度センサ（75）は、図２に仮想線で示すように、上記除霜運転時に上記利用側熱交換器（51）の最下部の冷媒パス（51a）と上記分流器（55）とに接続されたキャピラリチューブ（56）を流れる冷媒の温度を検出する位置に設けてもよい。
【００９３】
この変形例では、逆サイクルの除霜運転時に、利用側熱交換器（51）の最下部の冷媒パス（51n）と上記分流器（55）とに接続されたキャピラリチューブ（56）を流れる冷媒の温度が温度センサ（75）で検出される。そして、この変形例においても、この温度が所定値以上になっていると、最下部の冷媒パスの霜が溶けたと判断できるから、除霜運転が終了したかどうかを判断することができる。
【００９４】
《その他の実施形態》
上記実施形態については、以下のような構成としてもよい。
【００９５】
例えば、図６に示すように、上記分流器（55）と上記利用側熱交換器（51）の冷媒パス（51a〜51n）とに接続されたキャピラリチューブ（56）に、最下部の冷媒パス（51n）以下の高さを通る冷媒トラップ（59）を形成するとよい。
【００９６】
キャピラリチューブ（56）にトラップ（59）を設けると、利用側熱交換器（51）の下方の冷媒パスに付着した霜を確実に除去できる。この点について説明する。一般に、逆サイクルの除霜運転を開始すると、利用側熱交換器（51）の下部のパスに液冷媒が溜まっていてガス冷媒の通過抵抗が大きいので、圧縮機（21a,21b）から吐出されたガス冷媒が利用側熱交換器（51）の上部の冷媒パスだけを流れていく。そして、そのまま除霜運転を続けると、利用側熱交換器（51）の上部の冷媒パスに付着した霜は除去されるものの、下部の冷媒パスに付着した霜は除去されずに残ってしまうおそれがある。そのため、除霜運転が終了しても、熱交換器の下部には霜が残った状態になってしまうことが考えられる。
【００９７】
これに対して、本実施形態では、上記キャピラリチューブ（56）にトラップ（59）を設けることにより、最下部の冷媒パス（51n）の液冷媒がガス冷媒の通過抵抗になるだけでなく、上部の冷媒パス（51a側の冷媒パス）についてもトラップ（59）に溜まった液冷媒が抵抗になるため、上記利用側熱交換器（51）の各冷媒パス（51a〜51n）を冷媒が均等に流れるようになる。したがって、通常の運転から除霜運転に切り換えたときに、各冷媒パス（51a〜51n）をガス冷媒が均等に流れやすくなり（偏流が生じにくくなり）、上方の冷媒パスばかりをガス冷媒が流れることを防止して下方の冷媒パスにもガス冷媒を供給できるので、下方のパスに付着した霜も確実に除去できる。つまり、着霜した利用側熱交換器（51）において液相冷媒が溜まった下方の冷媒パスの部分に霜の溶け残りが生じてしまうのを確実に抑制することができる。
【００９８】
また、上記実施形態は、庫内を冷却する冷凍装置に本発明を適用した例であるが、本発明は、室内を暖房する空気調和装置の室外熱交換器に適用してもよい。
【００９９】
また、上記実施形態では、利用側熱交換器（51）と分流器（55）の間の複数のキャピラリチューブ（56）をすべて同じ長さで同じ管径にしているが、利用側熱交換器（51）の上方の冷媒パスから下方の冷媒パスに向かって連続的にあるいは段階的に動圧抵抗が大きくなるように、上記キャピラリチューブ（56）の長さや管径を設定してもよい。上記キャピラリチューブ（56）は、冷却運転時に冷媒の圧力損失が大きくなりすぎない範囲で長さや管径が定められる。
【０１００】
なお、以上の実施形態は、本質的に好ましい例示であって、本発明、その適用物、あるいはその用途の範囲を制限することを意図するものではない。
【産業上の利用可能性】
【０１０１】
以上説明したように、本発明は、逆サイクルの除霜運転が行われる冷媒回路を有する冷凍装置において、除霜運転時に、着霜した熱交換器の下部で霜が溶け残るのを抑制する技術について有用である。
【符号の説明】
【０１０２】
10    冷凍装置
12    利用側ユニット（庫内ユニット）
15    冷媒回路
21a   第１圧縮機
21b   第２圧縮機
23    熱源側熱交換器（第１熱交換器）
53    利用側膨張弁（膨張機構）
51    利用側熱交換器（第２熱交換器）
51a   冷媒パス
51n   冷媒パス
55    分流器
56    キャピラリチューブ
59    冷媒トラップ
75    温度センサ
【図１】
2017101857.tif 000003
【図２】
2017101857.tif 000004
【図３】
2017101857.tif 000005
【図４】
2017101857.tif 000006
【図５】
2017101857.tif 000007
【図６】
2017101857.tif 000008
【手続補正書】
【提出日】平成29年4月6日(2017.4.6)
【手続補正１】
【補正対象書類名】明細書
【補正対象項目名】全文
【補正方法】変更
【補正の内容】
【発明の詳細な説明】
【技術分野】
【０００１】
本発明は、逆サイクルの除霜運転が行われる冷媒回路を有する冷凍装置に関し、特に、除霜運転時に、着霜した熱交換器の下部で霜が溶け残るのを抑制する技術に関するものである。
【背景技術】
【０００２】
従来、冷凍サイクルで着霜した熱交換器の霜を除去するために、冷媒を逆サイクルで循環させる除霜運転を行う冷凍装置が知られている。ここで、冷凍装置には、庫内を冷却する冷却装置や、例えば低外気の条件で室内を暖房する空気調和装置などが含まれる。
【０００３】
例えば特許文献１には、空気調和装置の室外熱交換器の下部に過冷却コイルを設け、圧縮機の吐出ガス配管から分岐するバイパス配管を上記過冷却コイルに接続する構成が開示されている。バイパス配管には、電磁弁（開閉弁）や絞り機構（キャピラリチューブ）が設けられている。
【０００４】
この空気調和装置では、暖房運転時に室外熱交換器（蒸発器）に着霜すると行われる逆サイクルの除霜運転時には、圧縮機から吐出された高温のガス冷媒が該室外熱交換器の各冷媒パスを通過するとともに、高温のガス冷媒の一部が圧縮機の吐出ガス配管から分流して上記過冷却コイルを流れる。このように、特許文献１の技術では、逆サイクルの除霜運転時に過冷却コイルに高温のガス冷媒を流すことにより、熱交換器の下部の霜の溶け残りを防止するようにしている。
【先行技術文献】
【特許文献】
【０００５】
【特許文献１】特開２００７−２３２２７４号公報
【発明の概要】
【発明が解決しようとする課題】
【０００６】
しかしながら、特許文献１の技術では、電磁弁やキャピラリチューブを設けたバイパス配管を冷媒回路に設けているので、冷媒回路の構成が複雑になる。また、逆サイクルの除霜運転時には電磁弁を開くなどの操作が必要であり、制御も複雑になる。このように、特許文献１の技術では、逆サイクルの除霜運転時に霜の溶け残りを防止するために、装置構成や制御が複雑になる問題があった。
【０００７】
本発明は、このような問題点に鑑みてなされたものであり、その目的は、除霜運転時に、着霜した熱交換器の下部で霜が溶け残るのを抑制するとともに、構成や制御が複雑になるのも防止することである。
【課題を解決するための手段】
【０００８】
第１の発明は、１台または複数台の圧縮機（21a,21b）と第１熱交換器（23）と膨張機構（53）と第２熱交換器（51）とを備えて第１熱交換器（23）が放熱器となり第２熱交換器（51）が蒸発器となる正サイクルの冷却運転を行う冷媒回路（15）を備え、第２熱交換器（51）に着霜すると圧縮機（21a,21b）の吐出冷媒を該第２熱交換器（51）に供給して逆サイクルの除霜運転を行い、上記第２熱交換器（51）が上方から下方にわたって複数の冷媒パス（51a〜51n）を有し、上記膨張機構（53）と第２熱交換器（51）との間に設けられた分流器（55）と冷媒パス（51a〜51n）とがキャピラリチューブ（56）で接続された冷凍装置を前提としている。
【０００９】
そして、この冷凍装置は、上記第２熱交換器（51）の最下部の冷媒パス（51n）と上記分流器（55）とを繋ぐキャピラリチューブ（56）が、そのキャピラリチューブ（56）を通って上記分流器（55）へ冷媒が流れるように抵抗が設定された絞りとして構成されている。
【００１０】
この第１の発明では、上記第２熱交換器（51）の最下部の冷媒パス（51n）と上記分流器（55）とを繋ぐキャピラリチューブ（56）が、そのキャピラリチューブ（56）を通って上記分流器（55）へ冷媒が流れるように抵抗が設定された絞りとして構成されている。従来の冷凍装置では、分流器（55）より下方に位置する冷媒パス（51a〜51n）に接続されたキャピラリチューブ（56）は、そのキャピラリチューブ（56）が接続された冷媒パス（51a〜51n）と分流器（55）とのヘッド差に対して、冷媒が流れる流速になる抵抗を有していない。したがって、除霜運転時には、熱交換器の下方のパスに接続されたキャピラリチューブ（56）を通って分流器（55）へ冷媒が流れにくく、熱交換器の下方の冷媒パス（51a〜51n）に液冷媒が溜まったままになって霜が溶け残る原因になっていたが、本発明では、キャピラリチューブ（56）の抵抗を上記のように設定したことにより、熱交換器の下方のパスに接続されたキャピラリチューブ（56）を通って分流器（55）へ冷媒が流れて行き、熱交換器の下方の冷媒パス（51a〜51n）に液冷媒が残らない。したがって、熱交換器の下部における霜の溶け残りを抑えられる。
【００１１】
また、第１の発明では、すべてのキャピラリチューブ（56）が、最下部の冷媒パス（51n）と上記分流器（55）とを繋ぐキャピラリチューブ（56）を基準として、同一内径且つ同一長さである。
【００１２】
この第１の発明では、すべてのキャピラリチューブ（56）を、最下部の冷媒パス（51n）と上記分流器（55）とを繋ぐキャピラリチューブ（56）を基準として、同一内径且つ同一長さにすることにより、熱交換器の下方のパスに液冷媒が溜まったままになるのを防止できるから、熱交換器の下部における霜の溶け残りを抑えられる。
【００１３】
第２の発明は、第１の発明において、上記除霜運転時に、上記分流器（55）の下流側の配管を流れる冷媒の温度を検出する温度センサ（75）を備えていることを特徴としている。
【００１４】
この第２の発明では、逆サイクルの除霜運転時に、第２熱交換器（51）の各冷媒パス（51a〜51n）から分流器（55）を通過した冷媒の温度が温度センサ（75）で検出される。この温度センサ（75）の部分には、逆サイクル運転時に分流器（55）を通過した後の冷媒全量が流れており、冷媒の温度が所定値以上になっていると、最下部の冷媒パス（51n）の霜が溶けたと判断できる。
【００１５】
第３の発明は、第１または第２の発明において、上記分流器（55）と上記第２熱交換器（51）の冷媒パス（51a〜51n）とに接続されたキャピラリチューブ（56）が、最下部の冷媒パス（51n）以下の高さを通る冷媒トラップ（59）を備えた形状に形成されていることを特徴としている。
【００１６】
ここで、一般に、逆サイクルの除霜運転を開始したときには、熱交換器の下部のパスに液冷媒が溜まっているので、圧縮機（21a,21b）から吐出されたガス冷媒が熱交換器の上部のパスを流れていく。そして、そのまま除霜運転を続けると、熱交換器の上部のパスに付着した霜は除去されるものの、下部のパスに付着した霜は除去されずに残ってしまうおそれがある。そのため、除霜運転が終了しても、熱交換器の下部には霜が残った状態になってしまうことが考えられる。
【００１７】
これに対して、上記第３の発明では、上記キャピラリチューブ（56）に冷媒トラップ（59）を設けることにより、最下部の冷媒パス（51n）の液冷媒がガス冷媒の通過抵抗になるだけでなく、上部の冷媒パス（51a〜51n）についても冷媒トラップ（59）に溜まった液冷媒が抵抗になるため、上記第２熱交換器（51）の各冷媒パス（51a〜51n）を冷媒が均等に流れる。したがって、通常の運転から除霜運転に切り換えたときに、各パスをガス冷媒が均等に流れやすくなり、上方の冷媒パス（51a〜51n）ばかりをガス冷媒が流れることを防止して下方のパスにもガス冷媒を供給できるので、下方のパスに付着した霜も確実に除去できる。
【発明の効果】
【００１８】
本発明によれば、上記第２熱交換器（51）の最下部の冷媒パス（51n）と上記分流器（55）とを繋ぐキャピラリチューブ（56）が、そのキャピラリチューブ（56）を通って上記分流器（55）へ冷媒が流れるように抵抗が設定された絞りとして構成されていることにより、熱交換器の下方のパスに接続されたキャピラリチューブ（56）を通って分流器（55）へ冷媒が流れて行き、熱交換器の下方の冷媒パス（51a〜51n）に液冷媒が滞留しない。したがって、除霜運転時に、着霜した熱交換器の下部で霜が溶け残るのを抑制することができる。
【００１９】
また、本発明によれば、冷媒回路（15）に電磁弁やキャピラリチューブ（56）を設けたバイパス配管を接続したり、逆サイクルの除霜運転時には電磁弁を開く操作をしたりする必要がないので、構成や制御が複雑になるのも防止できる。
【００２０】
上記第１の発明によれば、すべてのキャピラリチューブ（56）を同一内径且つ同一長さにすることにより、熱交換器の下方のパスに液冷媒が溜まったままになるのを防止できるから、装置構成をより簡単にすることができるとともに、熱交換器の下部における霜の溶け残りも抑えられる。
【００２１】
上記第２の発明によれば、逆サイクルの除霜運転時に、第２熱交換器（51）の各冷媒パス（51a〜51n）から分流器（55）を通過した冷媒の温度が温度センサ（75）で検出され、この冷媒の温度が所定値以上になっていると、最下部の冷媒パス（51n）の霜が溶けたと判断できる。この温度センサ（75）の部分には、逆サイクル運転時に分流器（55）を通過した後の冷媒全量が流れているので、除霜運転が終了したかどうかを正確に判断することができる。
【００２２】
上記第３の発明によれば、上記キャピラリチューブ（56）に冷媒トラップ（59）を設けることにより、最下部の冷媒パス（51n）の液冷媒がガス冷媒の通過抵抗になるだけでなく、上部の冷媒パス（51a〜51n）についても冷媒トラップ（59）に溜まった液冷媒が抵抗になるため、上記第２熱交換器（51）の各冷媒パス（51a〜51n）を冷媒が均等に流れるようにしている。したがって、各パスをガス冷媒が均等に流れやすくなり、上方の冷媒パス（51a〜51n）ばかりをガス冷媒が流れることを防止して下方のパスにもガス冷媒を供給できる。そのため、通常の運転から除霜運転に切り換えたときに、冷媒がガス相と液相とに分離することに起因する偏流を抑えることができるから、着霜した熱交換器において液相冷媒が溜まった下方の冷媒パス（51a〜51n）の部分に霜の溶け残りが生じてしまうのを抑制することができる。
【図面の簡単な説明】
【００２３】
【図１】図１は、本発明の実施形態に係る冷凍装置の冷媒回路図である。
【図２】図２は、利用側熱交換器周りの配管の詳細を示す回路構成図である。
【図３】図３は、分流器キャピラリチューブの長さと管径の比率と冷媒循環量との管径を示すグラフである。
【図４】図４は、図１の冷媒回路における冷却運転の冷媒の流れを示す図である。
【図５】図５は、図１の冷媒回路における逆サイクルの除霜運転の冷媒の流れを示す図である。
【図６】図６は、その他の実施形態に係る冷凍装置の利用側熱交換器周りの配管の詳細を示す回路構成図である。
【発明を実施するための形態】
【００２４】
以下、本発明の実施形態を図面に基づいて詳細に説明する。
【００２５】
図１は、この実施形態に係る冷凍装置（10）の構成例を示している。冷凍装置（10）は、庫外に設けられる熱源側ユニット（11）と、冷蔵庫や冷凍庫などの庫内に設けられる利用側ユニット（12）と、コントローラ（80）とを備えている。熱源側ユニット（11）には、熱源側回路（16）と熱源側ファン（17）とが設けられ、利用側ユニット（12）には、利用側回路（18）と利用側ファン（19）とが設けられている。この冷凍装置（10）では、熱源側ユニット（11）の熱源側回路（16）と利用側ユニット（12）の利用側回路（18）とが液側連絡配管（13）およびガス側連絡配管（14）によって接続されて、冷媒が循環して蒸気圧縮式の冷凍サイクルが行われる冷媒回路（15）が構成されている。具体的には、熱源側回路（16）の液端およびガス端に液閉鎖弁（V1）およびガス閉鎖弁（V2）がそれぞれ設けられ、液閉鎖弁（V1）およびガス閉鎖弁（V2）に液側連絡配管（13）の一端およびガス側連絡配管（14）の一端がそれぞれ接続され、液側連絡配管（13）およびガス側連絡配管（14）の他端に利用側回路（18）の液端およびガス端がそれぞれ接続されている。
【００２６】
〈熱源側回路〉
熱源側回路（16）は、第１圧縮機（21a）および第２圧縮機（21b）と、四方切換弁（22）と、熱源側熱交換器（23）と、過冷却熱交換器（24）と、過冷却膨張弁（31）と、中間膨張弁（32）と、中間開閉弁（33）と、中間逆止弁（34）と、レシーバ（35）と、熱源側膨張弁（36）と、第１逆止弁（CV1），第２逆止弁（CV2），第３逆止弁（CV3）と、第１油分離器（OSa）および第２油分離器（OSb）と、第１吐出逆止弁（CVa）および第２吐出逆止弁（CVb）と、第１キャピラリチューブ（CTa）および第２キャピラリチューブ（CTb）と、油分離逆止弁（CVc）とを有している。
【００２７】
また、熱源側回路（16）には、吐出冷媒配管（41）と、吸入冷媒配管（42）と、熱源側液冷媒配管（43）と、インジェクション配管（44）と、第１接続配管（45）および第２接続配管（46）と、油戻し配管（47）とが設けられている。
【００２８】
第１圧縮機（21a）は、吸入した冷媒を圧縮して吐出するように構成されている。また、第１圧縮機（21a）には、吸入ポートと、中間ポートと、吐出ポートとが設けられている。吸入ポートは、第１圧縮機（21a）の吸入行程において圧縮室（すなわち、低圧の圧縮室）と連通するように形成されている。中間ポートは、第１圧縮機（21a）の圧縮行程の途中において圧縮室（すなわち、中間圧の圧縮室）と連通するように形成されている。吐出ポートは、第１圧縮機（21a）の吐出行程において圧縮室（すなわち、高圧の圧縮室）と連通するように構成されている。例えば、第１圧縮機（21a）は、互いに歯合する固定スクロールおよび可動スクロールの間に圧縮室が構成されるスクロール式の圧縮機によって構成されている。第２圧縮機（21b）は、第１圧縮機（21a）の構成と同様の構成を有している。
【００２９】
なお、第１圧縮機（21a）は、その運転周波数（容量）が可変に構成されている。すなわち、第１圧縮機（21a）は、インバータ（図示を省略）の出力周波数を変化させることで、その内部に設けられた電動機の回転数が変化し、その運転周波数が変化するように構成されている。一方、第２圧縮機（21b）は、その運転周波数（容量）が固定されている。すなわち、第２圧縮機（21b）は、その内部に設けられた電動機の回転数が一定であり、その運転周波数が一定となっている。
【００３０】
四方切換弁（22）は、第１ポートと第３ポートとが連通し且つ第２ポートと第４ポートとが連通する第１状態（図１の実線で示された状態）と、第１ポートと第４ポートとが連通し且つ第２ポートと第３ポートとが連通する第２状態（図１の破線で示された状態）とに切り換え可能に構成されている。
【００３１】
四方切換弁（22）の第１ポートは、吐出冷媒配管（41）によって第１および第２圧縮機（21a,21b）の吐出ポートに接続され、四方切換弁（22）の第２ポートは、吸入冷媒配管（42）によって第１および第２圧縮機（21a,21b）の吸入ポートに接続されている。四方切換弁（22）の第３ポートは、熱源側熱交換器（23）のガス端に接続され、四方切換弁（22）の第４ポートは、ガス閉鎖弁（V2）に接続されている。
【００３２】
吐出冷媒配管（41）は、一端が第１および第２圧縮機（21a,21b）の吐出ポートに接続される第１および第２吐出管（41a,41b）と、第１および第２吐出管（41a,41b）の他端と四方切換弁（22）の第１ポートとを接続する吐出主管（41c）とによって構成されている。
【００３３】
吸入冷媒配管（42）は、一端が第１および第２圧縮機（21a,21b）の吸入ポートにそれぞれ接続される第１および第２吸入管（42a,42b）と、第１および第２吸入管（42a,42b）の他端と四方切換弁（22）の第２ポートとを接続する吸入主管（42c）とによって構成されている。
【００３４】
熱源側熱交換器（23）は、その液端が熱源側液冷媒配管（43）の一端に接続され、そのガス端が四方切換弁（22）の第３ポートに接続されている。また、熱源側熱交換器（23）の近傍には、熱源側ファン（17）が配置されている。そして、熱源側熱交換器（23）は、冷媒と熱源側ファン（17）によって搬送された熱源側空気（すなわち、庫外空気）とを熱交換させるように構成されている。例えば、熱源側熱交換器（23）は、クロスフィン式のフィン・アンド・チューブ型熱交換器によって構成されている。
【００３５】
熱源側液冷媒配管（43）は、その一端が熱源側熱交換器（23）に接続され、その他端が液閉鎖弁（V1）に接続されている。この例では、熱源側液冷媒配管（43）は、熱源側熱交換器（23）の液端とレシーバ（35）とを接続する第１熱源側液管（43a）と、レシーバ（35）と過冷却熱交換器（24）とを接続する第２熱源側液管（43b）と、過冷却熱交換器（24）と液閉鎖弁（V1）とを接続する第３熱源側液管（43c）とによって構成されている。
【００３６】
インジェクション配管（44）は、熱源側液冷媒配管（43）の第１中途部（Q1）と第１および第２圧縮機（21a,21b）の中間ポートとを接続している。この例では、インジェクション配管（44）は、熱源側液冷媒配管（43）の第１中途部（Q1）と過冷却熱交換器（24）とを接続する第１インジェクション主管（44m）と、一端が過冷却熱交換器（24）に接続される第２インジェクション主管（44n）と、第２インジェクション主管（44n）の他端と第１および第２圧縮機（21a,21b）の中間ポートとをそれぞれ接続する第１および第２インジェクション分岐管（44a,44b）とによって構成されている。
【００３７】
過冷却熱交換器（24）は、熱源側液冷媒配管（43）とインジェクション配管（44）とに接続され、熱源側液冷媒配管（43）を流れる冷媒とインジェクション配管（44）を流れる冷媒とを熱交換させるように構成されている。この例では、過冷却熱交換器（24）は、第２熱源側液管（43b）と第３熱源側液管（43c）との間に接続される第１流路（24a）と、第１インジェクション主管（44m）と第２インジェクション主管（44n）との間に接続される第２流路（24b）とを有し、第１流路（24a）を流れる冷媒と第２流路（24b）を流れる冷媒とを熱交換させるように構成されている。例えば、過冷却熱交換器（24）は、プレート型熱交換器によって構成されている。
【００３８】
過冷却膨張弁（31）は、インジェクション配管（44）において熱源側液冷媒配管（43）の第１中途部（Q1）と過冷却熱交換器（24）との間（この例では、第１インジェクション主管（44m））に設けられている。また、過冷却膨張弁（31）は、その開度を調節可能に構成されている。例えば、過冷却膨張弁（31）は、電子膨張弁（電動弁）によって構成されている。
【００３９】
中間膨張弁（32）は、インジェクション配管（44）において過冷却熱交換器（24）と第１圧縮機（21a）の中間ポートとの間（この例では、第１インジェクション分岐管（44a））に設けられている。また、中間膨張弁（32）は、その開度を調節可能に構成されている。例えば、中間膨張弁（32）は、電子膨張弁（電動弁）によって構成されている。
【００４０】
中間開閉弁（33）および中間逆止弁（34）は、インジェクション配管（44）において過冷却熱交換器（24）と第２圧縮機（21b）の中間ポートとの間（この例では、第２インジェクション分岐管（44b））に設けられている。第２インジェクション分岐管（44b）では、第２インジェクション分岐管（44b）の入口側から出口側へ向けて中間開閉弁（33）と中間逆止弁（34）とが順に配置されている。
【００４１】
中間開閉弁（33）は、その開閉を切り換え可能に構成されている。例えば、中間開閉弁（33）は、電磁弁によって構成されている。中間逆止弁（34）は、第２インジェクション分岐管（44b）の入口側から出口側へ向かう冷媒の流れを許容し、その逆方向の冷媒の流れを阻止するように構成されている。
【００４２】
レシーバ（35）は、熱源側液冷媒配管（43）において熱源側熱交換器（23）と過冷却熱交換器（24）との間に接続され、凝縮器（具体的には、熱源側熱交換器（第１熱交換器）（23）または後述の利用側熱交換器（第２熱交換器）（51））において凝縮した冷媒を一時的に貯留することができるように構成されている。この例では、レシーバ（35）は、その入口に第１熱源側液管（43a）が接続され、その出口に第２熱源側液管（43b）が接続されている。
【００４３】
第１接続配管（45）は、熱源側液冷媒配管（43）の第２中途部（Q2）と第３中途部（Q3）とを接続している。第２中途部（Q2）は、熱源側液冷媒配管（43）において第１中途部（Q1）と液閉鎖弁（V1）との間に位置し、第３中途部（Q3）は、熱源側液冷媒配管（43）において熱源側熱交換器（23）の液端とレシーバ（35）との間に位置する。
【００４４】
第２接続配管（46）は、熱源側液冷媒配管（43）の第４中途部（Q4）と第５中途部（Q5）とを接続している。第４中途部（Q4）は、熱源側液冷媒配管（43）において第１中途部（Q1）と第２中途部（Q2）の間に位置し、第５中途部（Q5）は、熱源側液冷媒配管（43）において熱源側熱交換器（23）の液端と第３中途部（Q3）との間に位置する。
【００４５】
熱源側膨張弁（36）は、第２接続配管（46）に設けられている。また、熱源側膨張弁（36）は、その開度を調節可能に構成されている。例えば、熱源側膨張弁（36）は、電子膨張弁（電動弁）によって構成されている。
【００４６】
第１逆止弁（CV1）は、熱源側液冷媒配管（43）の第３中途部（Q3）と第５中途部（Q5）との間に設けられ、第５中途部（Q5）から第３中途部（Q3）へ向かう冷媒の流れを許容し、その逆方向の冷媒の流れを阻止するように構成されている。
【００４７】
第２逆止弁（CV2）は、熱源側液冷媒配管（43）の第２中途部（Q2）と第４中途部（Q4）との間に設けられ、第４中途部（Q4）から第２中途部（Q2）へ向かう冷媒の流れを許容し、その逆方向の冷媒の流れを阻止するように構成されている。
【００４８】
第３逆止弁（CV3）は、第１接続配管（45）に設けられ、熱源側液冷媒配管（43）の第２中途部（Q2）から第３中途部（Q3）へ向かう冷媒の流れを許容し、その逆方向の冷媒の流れを阻止するように構成されている。
【００４９】
第１油分離器（OSa）および第１吐出逆止弁（CVa）は、吐出冷媒配管（41）において第１圧縮機（21a）と四方切換弁（22）の第１ポートとの間（具体的には、第１吐出管（41a））に設けられている。第１吐出管（41a）では、第１吐出管（41a）の入口側から出口側へ向けて第１油分離器（OSa）と第１吐出逆止弁（CVa）とが順に配置されている。第１油分離器（OSa）は、第１圧縮機（21a）から吐出された冷媒から冷凍機油を分離して内部に貯留することができるように構成されている。第１吐出逆止弁（CVa）は、第１吐出管（41a）の入口側から出口側へ向かう冷媒の流れを許容し、その逆方向の冷媒の流れを阻止するように構成されている。
【００５０】
第２油分離器（OSb）は、吐出冷媒配管（41）において第２圧縮機（21b）と四方切換弁（22）の第１ポートとの間（具体的には、第２吐出管（41b））に設けられている。第２吐出管（41b）では、第２吐出管（41b）の入口側から出口側へ向けて第２油分離器（OSb）と第２吐出逆止弁（CVb）とが順に配置されている。第２油分離器（OSb）は、第２圧縮機（21b）から吐出された冷媒から冷凍機油を分離して内部に貯留することができるように構成されている。第２吐出逆止弁（CVb）は、第２吐出管（41b）の入口側から出口側へ向かう冷媒の流れを許容し、その逆方向の冷媒の流れを阻止するように構成されている。
【００５１】
油戻し配管（47）は、第１および第２油分離器（OSa,OSb）に貯留された冷凍機油をインジェクション配管（44）に供給するための配管である。この例では、油戻し配管（47）は、一端が第１および第２油分離器（OSa,OSb）に接続される第１および第２油戻し管（47a,47b）と、第１および第２油戻し管（47a,47b）の他端とインジェクション配管（44）の中途部（具体的には、第２インジェクション主管（44n）の中途部（Q6））とを接続する油戻し主管（47c）とによって構成されている。
【００５２】
第１キャピラリチューブ（CTa）は、油戻し配管（47）において第１油分離器（OSa）とインジェクション配管（44）の中途部（Q6）との間（具体的には、第１油戻し管（47a））に設けられている。
【００５３】
第２キャピラリチューブ（CTb）および油戻し逆止弁（CVc）は、油戻し配管（47）において第２油分離器（OSb）とインジェクション配管（44）の中途部（Q6）との間（具体的には、第２油戻し管（47b））に設けられている。第２油戻し管（47b）では、第２油戻し管（47b）の入口側から出口側へ向けて油戻し逆止弁（CVc）と第２キャピラリチューブ（CTb）とが順に配置されている。油戻し逆止弁（CVc）は、第２油戻し管（47b）の入口側から出口側へ向かう冷媒の流れを許容し、その逆方向の冷媒の流れを阻止するように構成されている。
【００５４】
〈利用側回路〉
利用側回路（18）は、利用側熱交換器（51）と、利用側開閉弁（52）と、利用側膨張弁（膨張機構）（53）と、利用側逆止弁（54）とを有している。また、利用側回路（18）には、利用側液冷媒配管（61）と、利用側ガス冷媒配管（62）と、バイパス配管（63）とが設けられている。なお、図１は、利用側熱交換器（51）と、利用側熱交換器（51）に接続されている配管を簡略化して示している。
【００５５】
利用側熱交換器（51）は、その液端が利用側液冷媒配管（61）によって液側連絡配管（13）に接続され、そのガス端が利用側ガス冷媒配管（62）によってガス側連絡配管（14）に接続されている。また、利用側熱交換器（51）の近傍には、利用側ファン（19）が配置されている。そして、利用側熱交換器（51）は、冷媒と利用側ファン（19）によって搬送された利用側空気（すなわち、庫内空気）とを熱交換させるように構成されている。例えば、利用側熱交換器（51）は、クロスフィン式のフィン・アンド・チューブ型熱交換器によって構成されている。
【００５６】
利用側液冷媒配管（61）は、その一端が液側連絡配管（13）に接続され、その他端が利用側熱交換器（51）の液端に接続されている。利用側ガス冷媒配管（62）は、その一端が利用側熱交換器（51）のガス端に接続され、その他端がガス側連絡配管（14）に接続されている。
【００５７】
利用側開閉弁（52）および利用側膨張弁（53）は、利用側液冷媒配管（61）に設けられている。利用側液冷媒配管（61）では、利用側液冷媒配管（61）の一端側から他端側へ向けて利用側開閉弁（52）と利用側膨張弁（53）とが順に配置されている。
【００５８】
利用側開閉弁（52）は、その開閉を切り換え可能に構成されている。例えば、利用側開閉弁（52）は、電磁弁によって構成されている。利用側膨張弁（53）は、その開度を調節可能に構成されている。この例では、利用側膨張弁（53）は、外部均圧形温度自動膨張弁によって構成されている。すなわち、利用側膨張弁（53）は、利用側ガス冷媒配管（62）に設けられる感温筒（53a）と、利用側ガス冷媒配管（62）の中途部に接続される均圧管（図示を省略）とを有し、感温筒（53a）の温度と均圧管の冷媒圧力とに応じて開度が調節される。
【００５９】
バイパス配管（63）は、その一端が利用側液冷媒配管（61）における利用側膨張弁（53）と利用側熱交換器（51）との間の中途部に接続され、その他端が利用側液冷媒配管（61）における液側連絡配管（13）と利用側開閉弁（52）との間の中途部に接続されている。
【００６０】
利用側逆止弁（54）は、バイパス配管（63）に設けられ、利用側熱交換器（51）側から液側連絡配管（13）側への冷媒の流れを許容し、その逆方向の冷媒の流れを阻止するように構成されている。
【００６１】
次に、利用側熱交換器（51）の詳細と、該利用側熱交換器（51）に対する冷媒配管接続の詳細について説明する。図１では省略しているが、利用側熱交換器は、図２に示すように上方から下方にわたって配置された複数の冷媒パス（51a〜51n）を有している。また、利用側膨張弁（53）と利用側熱交換器（51）との間には分流器（55）が接続され、この分流器（55）と各冷媒パス（51a〜51n）とがキャピラリチューブ（56（56a〜56n））で接続されている。
【００６２】
この冷凍装置（10）では、上記利用側熱交換器（51）の冷媒パス（51a〜51n）のうち少なくとも上記分流器（55）より下方に位置する冷媒パスに接続されたキャピラリチューブ（56）が、そのキャピラリチューブ（56）が接続された冷媒パス（51a〜51n）と分流器（55）とのヘッド差に対して、そのキャピラリチューブ（56）を通って上記分流器（55）へ冷媒が流れる流速になるように抵抗が設定された絞りとして構成されている。具体的には、図３に示すように、キャピラリチューブ（56）と冷却管（冷媒パス）（51a〜51n）の抵抗が、分流器（55）と最下部の冷媒パス（51n）のヘッド差（ΔPHi）に対して冷媒が流れる流速になるように、キャピラリチューブ（56）の長さと管径が定められている。
【００６３】
特に、本実施形態では、上記利用側熱交換器（51）の最下部の冷媒パス（51n）と上記分流器（55）とを繋ぐキャピラリチューブ（56）が、そのキャピラリチューブ（56）を通って上記分流器（55）へ冷媒が流れるように抵抗が設定された絞りとして構成され、かつ、すべてのキャピラリチューブ（56a〜56n）を、最下部の冷媒パス（51n）と上記分流器（55）とを繋ぐキャピラリチューブ（56）を基準として同一内径且つ同一長さにしている。
【００６４】
上記利用側回路（18）には、上記除霜運転時に上記分流器（55）の下流側の配管を流れる冷媒の温度を検出する温度センサ（75）が設けられている。また、この冷凍装置（10）は、上述したように、上記利用側膨張弁（53）と利用側熱交換器（51）とを備えた利用側ユニット（庫内ユニット）（12）を有する冷凍装置であり、上記温度センサ（75）は、上記利用側ユニット（12）の内部に設けられている。
【００６５】
〈各種センサ〉
また、冷凍装置（10）には、吸入温度センサ（71）や吸入圧力センサ（72）や庫内温度センサ（73）などの各種センサが設けられている。
【００６６】
吸入温度センサ（71）は、第１および第２圧縮機（21a,21b）に吸入される冷媒の温度（以下、「吸入温度」と記載）を検出するように構成されている。この例では、吸入温度センサ（71）は、吸入主管（42c）に設置され、設置場所の冷媒温度を吸入温度として検出する。
【００６７】
吸入圧力センサ（72）は、第１および第２圧縮機（21a,21b）に吸入される冷媒の圧力（以下、「吸入圧力」と記載）を検出するように構成されている。この例では、吸入圧力センサ（72）は、吸入主管（42c）に設置され、設置場所の冷媒圧力を吸入圧力として検出する。
【００６８】
庫内温度センサ（73）は、庫内の空気の温度（以下、「庫内温度（Tr）」と記載）を検出するように構成されている。この例では、庫内温度センサ（73）は、利用側ユニット（12）において利用側ファン（19）の空気流れの上流側に設置され、設置場所の空気温度を庫内温度（Tr）として検出する。
【００６９】
〈コントローラ〉
コントローラ（80）は、各種センサの検出値に基づいて冷凍装置（10）の各部を制御して冷凍装置（10）の運転動作を制御する。この例では、コントローラ（80）は、熱源側ユニット（11）に設けられる主制御器（81）と、利用側ユニット（12）に設けられる利用側制御器（82）とによって構成されている。
【００７０】
主制御器（81）は、熱源側ユニット（11）に設けられた構成部品を制御する。この例では、熱源側ユニット（11）に設けられた熱源側ファン（17）、各種弁（この例では、四方切換弁（22）と過冷却膨張弁（31）と中間膨張弁（32）と中間開閉弁（33）と熱源側膨張弁（36））、第１圧縮機（21a）および第２圧縮機（21b）などを制御し、目標蒸発温度の設定も行う。
【００７１】
利用側制御器（82）は、利用側ユニット（12）に設けられた構成部品（この例では、利用側ファン（19）と利用側開閉弁（52））を制御する。
【００７２】
また、利用側制御器（82）は、冷凍装置（10）の運転を開始すべきか否かを判定し、冷凍装置（10）の運転を開始すべきと判定すると、冷却運転（庫内を冷却するための運転）のための動作を開始するとともに、運転開始信号を主制御器（81）に送信する。また、利用側制御器（82）は、冷凍装置（10）の運転を終了すべきか否かを判定し、冷凍装置（10）の運転を終了すべきと判定すると、冷却運転のための動作を終了するとともに、運転終了信号を主制御器（81）に送信する。例えば、利用側制御器（82）は、ユーザによる操作（運転開始および運転終了を指示するための操作）に応答して、冷凍装置（10）の運転開始および運転終了を判定する。
【００７３】
また、利用側制御器（82）は、冷却運転が行われている期間において除霜運転（利用側熱交換器（51）の除霜のための運転）を開始すべきか否かを判定し、除霜運転を開始すべきと判定すると、除霜運転のための動作を開始するとともに、除霜開始信号を主制御器（81）に送信する。また、利用側制御器（82）は、除霜運転が行われている期間において除霜運転を終了すべきか否かを判定し、除霜運転を終了すべきと判定すると、除霜運転のための動作を終了して冷却運転のための動作を開始するとともに、除霜終了信号を主制御器（81）に送信する。例えば、利用側制御器（82）は、冷却運転を開始した時点から予め定められた所定時間（冷却運転時間）が経過すると、除霜運転を開始すべきと判定し、例えば温度センサ（75）の検出温度が所定温度に達すると、除霜運転を終了すべきと判定する。なお、除霜運転を開始した時点から予め定めた所定時間（除霜運転時間）が経過すると、除霜運転が終了したと判定してもよい。
【００７４】
以上のように、本実施形態の冷凍装置（10）は、圧縮機（21a,21b）と熱源側熱交換器（第１熱交換器）（23）と利用側膨張弁（膨張機構）（53）と利用側熱交換器（第２熱交換器）（51）とを備えて熱源側熱交換器（23）が放熱器となり利用側熱交換器（51）が蒸発器となる正サイクルの冷却運転を行う冷媒回路（15）を備えた冷凍装置である。そして、この冷凍装置（10）は、利用側熱交換器（51）に着霜すると圧縮機（21a,21b）の吐出冷媒を該利用側熱交換器（51）に供給して逆サイクルの除霜運転を行うように構成されている。
【００７５】
−運転動作−
次に、冷凍装置（10）の運転動作について説明する。
【００７６】
〈冷却運転中の冷媒の流れ〉
次に、図４を参照して、冷却運転中の冷媒回路（15）における冷媒の流れについて説明する。冷却運転では、四方切換弁（22）が第１状態に設定され、第１および第２圧縮機（21a,21b）の吐出ポートと熱源側熱交換器（23）のガス端とが連通し、第１および第２圧縮機（21a,21b）の吸入ポートとガス側連絡配管（14）とが連通する。
【００７７】
第１および第２圧縮機（21a,21b）から吐出された冷媒は、吐出冷媒配管（41）において第１および第２油分離器（OSa,OSb）と第１および第２吐出逆止弁（CVa,CVb）とを通過した後に、四方切換弁（22）を通過して熱源側熱交換器（23）に流入し、熱源側熱交換器（23）において熱源側空気（すなわち、庫外空気）に放熱して凝縮する。熱源側熱交換器（23）から流出した冷媒（高圧冷媒）は、第１熱源側液管（43a）において第１逆止弁（CV1）を通過した後に、レシーバ（35）と第２熱源側液管（43b）と順に通過して過冷却熱交換器（24）の第１流路（24a）に流入し、過冷却熱交換器（24）の第２流路（24b）を流れる冷媒（中間圧冷媒）に吸熱されて過冷却される。過冷却熱交換器（24）の第１流路（24a）から流出した冷媒は、第３熱源側液管（43c）に流入し、その一部が第１インジェクション主管（44m）に流入し、その残部が第３熱源側液管（43c）において第２逆止弁（CV2）を通過した後に液閉鎖弁（V1）を通過して液側連絡配管（13）に流入する。
【００７８】
第１インジェクション主管（44m）に流入した冷媒は、過冷却膨張弁（31）において減圧されて過冷却熱交換器（24）の第２流路（24b）に流入し、過冷却熱交換器（24）の第１流路（24a）を流れる冷媒（高圧冷媒）から吸熱する。過冷却熱交換器（24）の第２流路（24b）から流出した冷媒は、第２インジェクション主管（44n）を通過し、その一部が第１インジェクション分岐管（44a）に流入し、その残部が第２インジェクション分岐管（44b）に流入する。第１インジェクション分岐管（44a）に流入した冷媒は、中間膨張弁（32）において減圧されて第１圧縮機（21a）の中間ポートに流入する。第２インジェクション分岐管（44b）に流入した冷媒は、中間開閉弁（33）と中間逆止弁（34）とを順に通過して第２圧縮機（21b）の中間ポートに流入する。中間ポートを通過して第１および第２圧縮機（21a,21b）内に流入した冷媒は、第１および第２圧縮機（21a,21b）内の冷媒（具体的には、圧縮室内の冷媒）と混合される。すなわち、第１および第２圧縮機（21a,21b）内の冷媒が冷却されながら圧縮される。
【００７９】
一方、液側連絡配管（13）に流入した冷媒は、利用側ユニット（12）の利用側液冷媒配管（61）において開状態の利用側開閉弁（52）を通過して利用側膨張弁（53）において減圧されて利用側熱交換器（51）に流入し、利用側熱交換器（51）において利用側空気（すなわち、庫内空気）から吸熱して蒸発する。これにより、利用側空気が冷却される。利用側熱交換器（51）から流出した冷媒は、利用側ガス冷媒配管（62）とガス側連絡配管（14）と熱源側ユニット（11）のガス閉鎖弁（V2）と四方切換弁（22）と吸入冷媒配管（42）とを順に通過して第１および第２圧縮機（21a,21b）の吸入ポートに吸入される。
【００８０】
また、第１および第２油分離器（OSa,OSb）では、冷媒（すなわち、第１および第２圧縮機（21a,21b）から吐出された冷媒）から冷凍機油が分離され、その冷凍機油が第１および第２油分離器（OSa,OSb）に貯留される。第１油分離器（OSa）に貯留された冷凍機油は、第１油戻し管（47a）において第１キャピラリチューブ（CTa）を通過した後に、油戻し主管（47c）に流入する。第２油分離器（OSb）に貯留された冷凍機油は、第２油戻し管（47b）において油戻し逆止弁（CVc）と第２キャピラリチューブ（CTb）とを順に通過した後に、油戻し主管（47c）に流入する。油戻し主管（47c）に流入した冷凍機油は、第２インジェクション主管（44n）に流入して第２インジェクション主管（44n）を流れる冷媒と合流する。
【００８１】
〈除霜運転中の冷媒の流れ〉
次に、図５を参照して、除霜運転中の冷媒回路（15）における冷媒の流れについて説明する。除霜運転では、四方切換弁（22）が第２状態に設定され、第１および第２圧縮機（21a,21b）の吐出ポートとガス側連絡配管（14）とが連通し、第１および第２圧縮機（21a,21b）の吸入ポートと熱源側熱交換器（23）のガス端とが連通する。
【００８２】
第１および第２圧縮機（21a,21b）から吐出された冷媒は、吐出冷媒配管（41）において第１および第２油分離器（OSa,OSb）と第１および第２吐出逆止弁（CVa,CVb）を通過した後に、四方切換弁（22）とガス閉鎖弁（V2）とを順に通過してガス側連絡配管（14）に流入する。ガス側連絡配管（14）に流入した冷媒は、利用側ユニット（12）の利用側ガス冷媒配管（62）を通過して利用側熱交換器（51）に流入し、利用側熱交換器（51）において放熱して凝縮する。これにより、利用側熱交換器（51）に付着した霜が加熱されて融解する。利用側熱交換器（51）から流出した冷媒は、その一部が利用側液冷媒配管（61）において開状態の利用側膨張弁（53）と開状態の利用側開閉弁（52）とを順に通過し、その残部がバイパス配管（63）において利用側逆止弁（54）を通過する。利用側液冷媒配管（61）において開状態の利用側開閉弁（52）を通過した冷媒は、バイパス配管（63）において利用側逆止弁（54）を通過した冷媒と合流して液側連絡配管（13）に流入する。
【００８３】
液側連絡配管（13）を通過した冷媒は、熱源側ユニット（11）の液閉鎖弁（V1）を通過して第１接続配管（45）に流入し、第１接続配管（45）において第３逆止弁（CV3）を通過して第１熱源側液管（43a）の中途部（第３中途部（Q3））に流入する。第１熱源側液管（43a）の中途部に流入した冷媒は、レシーバ（35）と第２熱源側液管（43b）と過冷却熱交換器（24）の第１流路（24a）とを順に通過して第３熱源側液管（43c）に流入する。第３熱源側液管（43c）に流入した冷媒は、第４中途部（Q4）において第２接続配管（46）に流入し、熱源側膨張弁（36）において減圧されて第１熱源側液管（43a）の中途部（第５中途部（Q5））に流入する。第１熱源側液管（43a）の中途部に流入した冷媒は、熱源側熱交換器（23）に流入し、熱源側熱交換器（23）において熱源側空気（すなわち、庫外空気）から吸熱して蒸発する。熱源側熱交換器（23）から流出した冷媒は、四方切換弁（22）と吸入冷媒配管（42）とを順に通過して第１および第２圧縮機（21a,21b）の吸入ポートに吸入される。
【００８４】
除霜運転中の利用側熱交換器（51）における具体的な動作について説明する。
【００８５】
この実施形態では、上述したように、上記利用側熱交換器（51）の最下部の冷媒パス（51n）と上記分流器（55）とを繋ぐキャピラリチューブ（56）が、そのキャピラリチューブ（56）を通って上記分流器（55）へ冷媒が流れるように抵抗が設定された絞りとして構成されている。従来の冷凍装置では、分流器（55）より下方に位置する冷媒パス（51a〜51n）に接続されたキャピラリチューブ（56）は、そのキャピラリチューブ（56）が接続された冷媒パス（51a〜51n）と分流器（55）とのヘッド差に対して、冷媒が流れる流速になる抵抗を有していない。したがって、除霜運転時には、利用側熱交換器（51）の下方の冷媒パスに接続されたキャピラリチューブ（56）を通って分流器（55）へ冷媒が流れて行かず、利用側熱交換器（51）の下方の冷媒パスに液冷媒が溜まったままになって霜が溶け残る原因になっていた。これに対して、本実施形態では、キャピラリチューブ（56）の抵抗を上記のように設定したことにより、利用側熱交換器（51）の下方のパスに接続されたキャピラリチューブ（56）を通って分流器（55）へ冷媒が流れて行くから、利用側熱交換器（51）の下方の冷媒パスに液冷媒が滞留しない。したがって、利用側熱交換器（51）の下部における霜の溶け残りを抑えられる。
【００８６】
特に、本実施形態では、すべてのキャピラリチューブ（56）を、最下部の冷媒パス（51n）と上記分流器（55）とを繋ぐキャピラリチューブ（56）を基準として、同一内径且つ同一長さにしている。したがって、構成を簡素化することが可能であり、なおかつ、利用側熱交換器（51）の下方の冷媒パスに液冷媒が溜まったままになるのを防止して利用側熱交換器（51）の下部における霜の溶け残りを抑えられる。
【００８７】
また、逆サイクルの除霜運転時には、利用側熱交換器（51）の各冷媒パスから分流器（55）を通過した冷媒の温度が温度センサ（75）で検出される。この温度センサ（75）が設けられている部分には、逆サイクル運転時に分流器（55）を通過した後の冷媒全量が流れており、この冷媒の温度が所定値以上になっていると、最下部の冷媒パス（51n）の霜が溶けたと判断できる。
【００８８】
−実施形態の効果−
本実施形態によれば、上記利用側熱交換器（51）の最下部の冷媒パス（51n）と上記分流器（55）とを繋ぐキャピラリチューブ（56）を、そのキャピラリチューブ（56）を通って上記分流器（55）へ冷媒が流れるように抵抗が設定された絞りとして構成したことにより、利用側熱交換器（51）の下方の冷媒パスに接続されたキャピラリチューブ（56）を通って分流器（55）へ冷媒を流すことができる。したがって、利用側熱交換器（51）の下方の冷媒パスに液冷媒が滞留しないので、除霜運転時に、着霜した利用側熱交換器（51）の下部の霜が溶け残るのを抑制することができる。
【００８９】
特に、上記実施形態によれば、すべてのキャピラリチューブ（56）を、最下部の冷媒パス（51n）と上記分流器（55）とを繋ぐキャピラリチューブ（56）を基準として同一内径且つ同一長さにしているので、装置構成をより簡単にすることができる効果を得たうえで、利用側熱交換器（51）の下方の冷媒パスに液冷媒が溜まったままになるのを防止できる。
【００９０】
また、本実施形態によれば、冷媒回路（18）に電磁弁やキャピラリチューブを設けたバイパス配管を接続したり、逆サイクルの除霜運転時には電磁弁を開く操作をしたりする必要がないので、構成や制御が複雑になるのも防止できる。
【００９１】
また、上記実施形態によれば、逆サイクルの除霜運転時に、利用側熱交換器（51）の各冷媒パス（51a〜51n）から分流器（55）を通過した冷媒の温度が温度センサ（75）で検出され、この冷媒の温度が所定値以上になっていると、最下部の冷媒パス（51n）の霜が溶けたと判断できる。この温度センサ（75）の部分には、逆サイクル運転時に分流器（55）を通過した後の冷媒全量が流れているので、除霜運転が終了したかどうかを正確に判断することができる。また、利用側ユニット（12）に設けた温度センサ（75）を利用して除霜運転が終了したかどうかを検知することができるから、除霜運転の終了検知を利用側ユニットだけで完結させることができる。
【００９２】
−実施形態の変形例−
上記温度センサ（75）は、図２に仮想線で示すように、上記除霜運転時に上記利用側熱交換器（51）の最下部の冷媒パス（51a）と上記分流器（55）とに接続されたキャピラリチューブ（56）を流れる冷媒の温度を検出する位置に設けてもよい。
【００９３】
この変形例では、逆サイクルの除霜運転時に、利用側熱交換器（51）の最下部の冷媒パス（51n）と上記分流器（55）とに接続されたキャピラリチューブ（56）を流れる冷媒の温度が温度センサ（75）で検出される。そして、この変形例においても、この温度が所定値以上になっていると、最下部の冷媒パスの霜が溶けたと判断できるから、除霜運転が終了したかどうかを判断することができる。
【００９４】
《その他の実施形態》
上記実施形態については、以下のような構成としてもよい。
【００９５】
例えば、図６に示すように、上記分流器（55）と上記利用側熱交換器（51）の冷媒パス（51a〜51n）とに接続されたキャピラリチューブ（56）に、最下部の冷媒パス（51n）以下の高さを通る冷媒トラップ（59）を形成するとよい。
【００９６】
キャピラリチューブ（56）にトラップ（59）を設けると、利用側熱交換器（51）の下方の冷媒パスに付着した霜を確実に除去できる。この点について説明する。一般に、逆サイクルの除霜運転を開始すると、利用側熱交換器（51）の下部のパスに液冷媒が溜まっていてガス冷媒の通過抵抗が大きいので、圧縮機（21a,21b）から吐出されたガス冷媒が利用側熱交換器（51）の上部の冷媒パスだけを流れていく。そして、そのまま除霜運転を続けると、利用側熱交換器（51）の上部の冷媒パスに付着した霜は除去されるものの、下部の冷媒パスに付着した霜は除去されずに残ってしまうおそれがある。そのため、除霜運転が終了しても、熱交換器の下部には霜が残った状態になってしまうことが考えられる。
【００９７】
これに対して、本実施形態では、上記キャピラリチューブ（56）にトラップ（59）を設けることにより、最下部の冷媒パス（51n）の液冷媒がガス冷媒の通過抵抗になるだけでなく、上部の冷媒パス（51a側の冷媒パス）についてもトラップ（59）に溜まった液冷媒が抵抗になるため、上記利用側熱交換器（51）の各冷媒パス（51a〜51n）を冷媒が均等に流れるようになる。したがって、通常の運転から除霜運転に切り換えたときに、各冷媒パス（51a〜51n）をガス冷媒が均等に流れやすくなり（偏流が生じにくくなり）、上方の冷媒パスばかりをガス冷媒が流れることを防止して下方の冷媒パスにもガス冷媒を供給できるので、下方のパスに付着した霜も確実に除去できる。つまり、着霜した利用側熱交換器（51）において液相冷媒が溜まった下方の冷媒パスの部分に霜の溶け残りが生じてしまうのを確実に抑制することができる。
【００９８】
また、上記実施形態は、庫内を冷却する冷凍装置に本発明を適用した例であるが、本発明は、室内を暖房する空気調和装置の室外熱交換器に適用してもよい。
【００９９】
なお、以上の実施形態は、本質的に好ましい例示であって、本発明、その適用物、あるいはその用途の範囲を制限することを意図するものではない。
【産業上の利用可能性】
【０１００】
以上説明したように、本発明は、逆サイクルの除霜運転が行われる冷媒回路を有する冷凍装置において、除霜運転時に、着霜した熱交換器の下部で霜が溶け残るのを抑制する技術について有用である。
【符号の説明】
【０１０１】
10    冷凍装置
12    利用側ユニット（庫内ユニット）
15    冷媒回路
21a   第１圧縮機
21b   第２圧縮機
23    熱源側熱交換器（第１熱交換器）
53    利用側膨張弁（膨張機構）
51    利用側熱交換器（第２熱交換器）
51a   冷媒パス
51n   冷媒パス
55    分流器
56    キャピラリチューブ
59    冷媒トラップ
75    温度センサ
【手続補正２】
【補正対象書類名】特許請求の範囲
【補正対象項目名】全文
【補正方法】変更
【補正の内容】
【特許請求の範囲】
【請求項１】
１台または複数台の圧縮機（21a,21b）と第１熱交換器（23）と膨張機構（53）と第２熱交換器（51）とを備えて第１熱交換器（23）が放熱器となり第２熱交換器（51）が蒸発器となる正サイクルの冷却運転を行う冷媒回路（15）を備え、第２熱交換器（51）に着霜すると圧縮機（21a,21b）の吐出冷媒を該第２熱交換器（51）に供給して逆サイクルの除霜運転を行い、
上記第２熱交換器（51）が上方から下方にわたって複数の冷媒パス（51a〜51n）を有し、
上記膨張機構（53）と第２熱交換器（51）との間に設けられた分流器（55）と上記冷媒パス（51a〜51n）とがキャピラリチューブ（56）で接続された冷凍装置であって、
上記第２熱交換器（51）の最下部の冷媒パス（51n）と上記分流器（55）とを繋ぐキャピラリチューブ（56）は、そのキャピラリチューブ（56）を通って上記分流器（55）へ冷媒が流れるように抵抗が設定された絞りとして構成され、
すべてのキャピラリチューブ（56）が、最下部の冷媒パス（51n）と上記分流器（55）とを繋ぐキャピラリチューブ（56）を基準として、同一内径且つ同一長さであることを特徴とする冷凍装置。
【請求項２】
請求項１において、
上記除霜運転時に、上記分流器（55）の下流側の配管を流れる冷媒の温度を検出する温度センサ（75）を備えていることを特徴とする冷凍装置。
【請求項３】
請求項１または２において、
上記分流器（55）と上記第２熱交換器（51）の冷媒パス（51a〜51n）とに接続されたキャピラリチューブ（56）は、最下部の冷媒パス（51n）以下の高さを通る冷媒トラップ（59）を備えた形状に形成されていることを特徴とする冷凍装置。